(57)【特許請求の範囲】
【請求項１】
リソース割当方法であって、
基地局によって、端末に割り当てられる第１物理リソースブロック（ＰＲＢ）及びリソース割当タイプを決定することであって、該端末は新システムキャリアをサポートし、該新システムキャリアはコンポーネントキャリア及び拡張キャリアを含み、該リソース割当タイプは、リソース割当タイプ０又はリソース割当タイプ１のいずれかである、決定することと、
前記基地局によって、前記リソース割当タイプ、及びリソースブロックグループ（ＲＢＧ）とＰＲＢとのマッピング関係に従って、前記第１ＰＲＢに対応する第１ＲＢＧを決定することであって、前記ＲＢＧは、前記基地局がリソースを前記端末に割り当てるリソース割当粒度であり、ＲＢＧとＰＲＢとの該マッピング関係は、第１マッピング関係及び第２マッピング関係を含み、該第１マッピング関係は、前記リソース割当タイプ及び前記コンポーネントキャリアのうちのコンポーネントキャリアの第１部分の帯域幅に従って、該コンポーネントキャリアの第１部分によって占有されるＲＢＧを該コンポーネントキャリアの第１部分によって占有されるＰＲＢにマッピングすることによって取得されるマッピング関係であり、該第２マッピング関係は、前記リソース割当タイプに従って、第１拡張キャリアによって占有されるＲＢＧを該第１拡張キャリアによって占有されるＰＲＢにマッピングすることによって取得されるマッピング関係であり、該第１拡張キャリアは、前記拡張キャリア及び前記コンポーネントキャリアのうちの前記コンポーネントキャリアの第１部分以外のコンポーネントキャリアの残りの部分を含む、決定することであって、
前記第１マッピング関係は、前記コンポーネントキャリアのうちの前記コンポーネントキャリアの第１部分によって占有される複数のＰＲＢを、第１分割閾値に従って少なくとも１つのＲＢＧに分けることによって取得されるマッピング関係であり、該第１分割閾値は、前記コンポーネントキャリアの帯域幅、及びＲＢＧとシステム帯域幅との関係に従って決定され、前記コンポーネントキャリアの第１部分によって占有される複数のＰＲＢの数量は、該第１分割閾値の整数倍であり、
前記コンポーネントキャリアのうちの前記コンポーネントキャリアの第１部分以外の前記コンポーネントキャリアの残りの部分によって占有される複数のＰＲＢの数量が前記第１分割閾値未満である場合、前記第２マッピング関係は、前記拡張キャリア及び前記コンポーネントキャリアのうちの前記コンポーネントキャリアの第１部分以外の前記コンポーネントキャリアの残りの部分を含む前記第１拡張キャリアによって占有される複数のＰＲＢを、前記第１分割閾値又は第２分割閾値に従って少なくとも１つのＲＢＧに分けることによって取得されるマッピング関係であり、該第２分割閾値は、前記第１分割閾値とは異なり、前記第１拡張キャリアの帯域幅、及びＲＢＧとシステム帯域幅との関係に従って決定される、
決定することと、
前記基地局によって、前記端末にリソース割当情報を送信することであって、該リソース割当情報は、前記リソース割当タイプと、前記基地局によって前記端末に割り当てられた前記第１ＲＢＧの指示情報を含む、送信することと、を含む方法。
【請求項２】
前記基地局によって、前記端末に割り当てられる第１ＰＲＢ及び前記リソース割当タイプを決定することの前に、当該方法は、
前記基地局によって、前記端末が前記新システムキャリアをサポートする端末であると決定することをさらに含む、請求項１に記載の方法。
【請求項３】
リソース割当方法であって、
端末によって、基地局からのリソース割当情報を受信することであって、該端末は新システムキャリアをサポートし、該新システムキャリアはコンポーネントキャリア及び拡張キャリアを含み、該リソース割当情報はリソース割当タイプ及び第１リソースブロックグループ（ＲＢＧ）の指示情報を含み、該リソース割当タイプは、リソース割当タイプ０又はリソース割当タイプ１のいずれかである、受信することと、
前記端末によって、前記第１ＲＧＢの指示情報、及びＲＢＧと物理リソースグループ（ＰＲＢ）とのマッピング関係に従って、前記リソース割当タイプに対応する第１ＰＲＢを決定することであって、前記ＲＢＧと前記ＰＲＢとの前記マッピング関係は、第１マッピング関係及び第２マッピング関係を含み、該第１マッピング関係は、前記リソース割当タイプ及び前記コンポーネントキャリアのうちのコンポーネントキャリアの第１部分の帯域幅に従って、該コンポーネントキャリアの第１部分によって占有されるＲＢＧを該コンポーネントキャリアの第１部分によって占有されるＰＲＢにマッピングすることによって取得されるマッピング関係であり、該第２マッピング関係は、前記リソース割当タイプに従って、第１拡張キャリアによって占有されるＲＢＧを第１拡張キャリアによって占有されるＰＲＢにマッピングすることによって取得されるマッピング関係であり、該第１拡張キャリアは、前記拡張キャリア及び前記コンポーネントキャリアのうちの前記コンポーネントキャリアの第１部分以外のコンポーネントキャリアの残りの部分を含む、決定することと、を含み、
前記第１マッピング関係は、前記コンポーネントキャリアのうちの前記コンポーネントキャリアの第１部分によって占有される複数のＰＲＢを、第１分割閾値に従って少なくとも１つのＲＢＧに分けることによって取得されるマッピング関係であり、該第１分割閾値は、前記コンポーネントキャリアの帯域幅、及びＲＢＧとシステム帯域幅との関係に従って決定され、前記コンポーネントキャリアの第１部分によって占有される複数のＰＲＢの数量は、該第１分割閾値の整数倍であり、
前記コンポーネントキャリアのうちの前記コンポーネントキャリアの第１部分以外の前記コンポーネントキャリアの残りの部分によって占有される複数のＰＲＢの数量が前記第１分割閾値未満である場合、前記第２マッピング関係は、前記拡張キャリア及び前記コンポーネントキャリアのうちの前記コンポーネントキャリアの第１部分以外の前記コンポーネントキャリアの残りの部分を含む前記第１拡張キャリアによって占有される複数のＰＲＢを、前記第１分割閾値又は第２分割閾値に従って少なくとも１つのＲＢＧに分けることによって取得されるマッピング関係であり、該第２分割閾値は、前記第１分割閾値とは異なり、前記第１拡張キャリアの帯域幅、及びＲＢＧとシステム帯域幅との関係に従って決定される、方法。
【請求項４】
前記端末によって、前記基地局によって送信されたリソース割当情報を受信する前に、当該方法は、
前記端末によって、端末タイプ情報を前記基地局に送信することをさらに含む、請求項３に記載の方法。
【請求項５】
請求項１又は２に記載の方法を実行するように構成された基地局。
【請求項６】
請求項３又は４に記載の方法を実行するように構成された端末。
【請求項７】
実行されると、装置に請求項１から４のいずれか一項に記載の方法を実装させる命令を含む非一時的なコンピュータ読み取り可能な媒体。
【請求項８】
コンピュータに請求項１から４のいずれか一項に記載の方法を実行させるプログラム。
【発明の詳細な説明】
【技術分野】
【０００１】
本発明の実施形態は、通信技術、特に、リソース割当方法及び装置に関する。
【背景技術】
【０００２】
ロングタームエボリューション（略してＬＴＥ）技術では、１．４ＭＨｚ、３ＭＨｚ、５ＭＨｚ、１０ＭＨｚ、１５ＭＨｚ及び２０ＭＨｚの合計６つの標準コンポーネントキャリアがサポートされ、各標準コンポーネントキャリアによって占有されるリソースブロックの数量は、別の標準コンポーネントキャリアによって占有されるリソースブロックのそれとは異なる。従来端末は、標準コンポーネントキャリアを使用してデータを送信することができる。通信技術の発展により、通信システムにおいてアイドルキャリアをより良く使用するために、拡張キャリア技術が提案されている。拡張キャリア及び標準コンポーネントキャリアを含む、図１Ａ（図１Ａは、新システムキャリアの概略図である）に示される新システムキャリアが導入され、新システムキャリアをサポートすることができる新端末が対応して導入される。
【０００３】
しかし、従来技術では、標準コンポーネントキャリアを従来端末に割り当てるためのリソース割当方法のみが提供されており、新システムキャリアを新端末に割り当てるためのリソース割当方法が提案されていない。したがって、新システムキャリアを新端末に割り当てる方法が、本発明において解決される必要がある技術的課題である。
【発明の概要】
【０００４】
本発明の実施形態は、リソース割当方法及び装置を提供し、新システムキャリアに適用されるリソース割当方法が実装され、それに応じて新システムキャリアが従来端末と互換性を有するようにする。
【０００５】
第１態様によれば、本発明の実施形態は、リソース割当方法であって、
基地局によって、端末に割り当てられる第１物理リソース及びリソース割当タイプを決定することであって、端末は新システムキャリアをサポートし、新システムキャリアは端末キャリアがコンポーネントキャリア及び拡張キャリアを含む、決定することと、
基地局によって、リソース割当タイプ、及びリソースブロックユニットと物理リソースとのマッピング関係に従って、第１物理リソースに対応する第１リソースブロックユニットを決定することであって、リソースブロックユニットは、基地局がリソースを端末に割り当てるリソース割当粒度であり、リソースブロックユニットと物理リソースとのマッピング関係は、第１マッピング関係及び第２マッピング関係を含み、第１マッピング関係は、リソース割当タイプ及びコンポーネントキャリアのうちのコンポーネントキャリアの第１部分の帯域幅に従って、コンポーネントキャリアの第１部分によって占有されるリソースブロックユニットをコンポーネントキャリアの第１部分によって占有される物理リソースにマッピングすることによって取得されるマッピング関係であり、第２マッピング関係は、リソース割当タイプに従って、第１拡張キャリアによって占有されるリソースブロックユニットを第１拡張キャリアによって占有される物理リソースにマッピングすることによって取得されるマッピング関係であり、第１拡張キャリアは、拡張キャリア及びコンポーネントキャリアのうちのコンポーネントキャリアの第１部分以外のコンポーネントキャリアの残りの部分を含む、決定することと、
基地局によって、リソース割当情報を端末に送信することであって、リソース割当情報は、リソース割当タイプ及び基地局によって端末に割り当てられた第１リソースブロックユニットの指示情報を含む、送信することと、を含む方法を提供する。
【０００６】
第１態様に関して、第１態様の第１の可能な実装では、物理リソースは物理リソースブロックＰＲＢであり、リソース割当タイプがリソース割当タイプ０又はリソース割当タイプ１である場合、リソースブロックユニットはリソースブロックグループＲＢＧであり、第１リソースブロックユニットは第１ＲＢＧである、あるいは
リソース割当タイプがリソース割当タイプ２である場合、リソースブロックユニットは仮想リソースブロックＶＲＢであり、第１リソースブロックユニットは第１ＶＲＢであり、対応して、リソース割当情報はマッピング方式情報をさらに含む。
【０００７】
第１態様又は第１態様の第１の可能な実装に関して、第１態様の第２の可能な実装では、リソース割当情報は、ダウンリンク制御情報ＤＣＩである。
【０００８】
第１態様の第１又は第２の可能な実装に関して、第１態様の第３の可能な実装では、リソースブロックユニットがリソースブロックグループＲＢＧであり、第１リソースブロックユニットが第１ＲＢＧである場合、
第１マッピング関係は、コンポーネントキャリアのうちのコンポーネントキャリアの第１部分によって占有される複数のＰＲＢを、第１分割閾値に従って少なくとも１つのＲＢＧに分けることによって取得されるマッピング関係であり、第１分割閾値は、コンポーネントキャリアの帯域幅、及びＲＢＧとシステム帯域幅との関係に従って決定され、コンポーネントキャリアの第１部分によって占有される複数のＰＲＢの数量は、第１分割閾値の整数倍であり、
コンポーネントキャリアのうちのコンポーネントキャリアの第１部分以外のコンポーネントキャリアの残りの部分によって占有される複数のＰＲＢの数量が第１分割閾値未満である場合、第２マッピング関係は、拡張キャリア及びコンポーネントキャリアのうちのコンポーネントキャリアの第１部分以外のコンポーネントキャリアの残りの部分を含む第１拡張キャリアによって占有される複数のＰＲＢを、第１分割閾値又は第２分割閾値に従って少なくとも１つのＲＢＧに分けることによって取得されるマッピング関係であり、第２分割閾値は、第１分割閾値とは異なり、第１拡張キャリアの帯域幅、及びＲＢＧとシステム帯域幅との関係に従って決定される。
【０００９】
第１態様の第１又は第２の可能な実装に関して、第１態様の第４の可能な実装では、リソースブロックユニットが仮想リソースブロックＶＲＢであり、第１リソースブロックユニットが第１ＶＲＢである場合、第１マッピング関係は、コンポーネントキャリアによって占有される複数のＶＲＢのうち、インタリーブに関与する複数のＶＲＢを、分散型ＶＲＢマッピング方式でコンポーネントキャリアによって占有される複数のＰＲＢにマッピングすることによって取得されるマッピング関係であり、インタリーブに関与する複数のＶＲＢは、コンポーネントキャリアの第１部分によって占有される複数のＶＲＢであり、
第２マッピング関係は、拡張キャリアによって占有されるＶＲＢ、及びコンポーネントキャリアによって占有される複数のＶＲＢのうち、インタリーブに関与しないＶＲＢを、分散型ＶＲＢマッピング方式で拡張キャリアによって占有されるＰＲＢ及びコンポーネントキャリアによって占有される複数のＰＲＢのうちの残りのＰＲＢにマッピングすることによって取得されるマッピング関係であり、インタリーブに関与しないＶＲＢ及び拡張キャリアによって占有されるＶＲＢは、第１拡張キャリアによって占有される複数のＶＲＢである。
【００１０】
第１態様の第４の可能な実装に関して、第１態様の第５の可能な実装では、第１マッピング関係は、以下の方式：
コンポーネントキャリアの帯域幅に従って第１ＲＢギャップを決定することであって、第１ＲＢギャップは、コンポーネントキャリアによって占有される同じＶＲＢが同じサブフレームの２つの異なるタイムスロットにおいてマッピングされる複数のＰＲＢ間のギャップの値である、決定することと；
コンポーネントキャリアの帯域幅及び第１ＲＢギャップに従って、コンポーネントキャリアによって占有される複数のＶＲＢのうち、インタリーブに関与する複数のＶＲＢの数量を決定することと；
分散型ＶＲＢマッピング方式で、インタリーブに関与する複数のＶＲＢをコンポーネントキャリアによって占有される複数のＰＲＢにマッピングすることと；により取得される。
【００１１】
第１態様の第４の可能な実装に関して、第１態様の第６の可能な実装では、第２マッピング関係は、以下の方式：
第１拡張キャリアの帯域幅に従って第２ＲＢギャップを決定することであって、第１拡張キャリアの帯域幅は、第１拡張キャリアによって占有される複数のＶＲＢに対応する帯域幅であり、第２ＲＢギャップは、第１拡張キャリアによって占有される同じＶＲＢが同じサブフレームの２つの異なるタイムスロットにおいてマッピングされる複数のＰＲＢ間のギャップの値である、決定することと；
第１拡張キャリアの帯域幅及び第２ＲＢギャップに従って、第１拡張キャリアによって占有される複数のＶＲＢのうち、インタリーブに関与する複数のＶＲＢの数量を決定することと；
インタリーブに関与する複数のＶＲＢについて分散型ＶＲＢマッピングを実行し、第１拡張キャリアによって占有される複数のＶＲＢのうち、インタリーブに関与しないＶＲＢについて局所型ＶＲＢマッピングを実行することと；により取得される。
【００１２】
第１態様又は第１態様の第１から第６の可能な実装のいずれかに関して、第１態様の第７の可能な実装では、基地局によって、端末に割り当てられる第１物理リソース及びリソース割当タイプを決定することの前に、方法は、基地局によって、端末が新システムキャリアをサポートする端末であると決定することをさらに含む。
【００１３】
第２態様によれば、本発明の実施形態は、リソース割当方法であって、
端末によって、基地局によって送信されたリソース割当情報を受信することであって、端末は新システムキャリアをサポートし、新システムキャリアはコンポーネントキャリア及び拡張キャリアを含み、リソース割当情報はリソース割当タイプ及び基地局によって端末に割り当てられた第１リソースブロックユニットの指示情報を含む、受信することと、
端末によって、リソース割当情報、及びリソースブロックユニットと物理リソースとのマッピング関係に従って、基地局によって端末に割り当てられた第１リソースブロックユニットに対応する第１物理リソースを決定することであって、リソースブロックユニットと物理リソースとのマッピング関係は、第１マッピング関係及び第２マッピング関係を含み、第１マッピング関係は、リソース割当タイプ及びコンポーネントキャリアのうちのコンポーネントキャリアの第１部分の帯域幅に従って、コンポーネントキャリアの第１部分によって占有されるリソースブロックユニットをコンポーネントキャリアの第１部分によって占有される物理リソースにマッピングすることによって取得されるマッピング関係であり、第２マッピング関係は、リソース割当タイプに従って、第１拡張キャリアによって占有されるリソースブロックユニットを第１拡張キャリアによって占有される物理リソースにマッピングすることによって取得されるマッピング関係であり、第１拡張キャリアは、拡張キャリア及びコンポーネントキャリアのうちのコンポーネントキャリアの第１部分以外のコンポーネントキャリアの残りの部分を含む、決定することと、を含む方法を提供する。
【００１４】
第２態様に関して、第２態様の第１の可能な実装では、物理リソースは物理リソースブロックＰＲＢであり、リソース割当タイプがリソース割当タイプ０又はリソース割当タイプ１である場合、リソースブロックユニットはリソースブロックグループＲＢＧであり、第１リソースブロックユニットは第１ＲＢＧであり、対応して、端末によって、リソース割当情報、及びリソースブロックユニットと物理リソースとのマッピング関係に従って、基地局によって端末に割り当てられた第１リソースブロックユニットに対応する第１物理リソースを決定することは、端末によって、第１リソースブロックユニットの指示情報、及びリソース割当タイプに対応する、リソースブロックユニットとＰＲＢとのマッピング関係に従って、第１ＰＲＢを決定することを含む、あるいは
リソース割当タイプがリソース割当タイプ２である場合、リソースブロックユニットは仮想リソースブロックＶＲＢであり、第１リソースブロックユニットは第１ＶＲＢであり、対応して、リソース割当情報はマッピング方式情報をさらに含み、端末によって、リソース割当情報、及びリソースブロックユニットと物理リソースとのマッピング関係に従って、基地局によって端末に割り当てられた第１リソースブロックユニットに対応する第１物理リソースを決定することは、端末によって、第１リソースブロックユニットの指示情報、及びリソース割当タイプとマッピング方式情報との両方に対応する、リソースブロックユニットとＰＲＢとのマッピング関係に従って、第１ＰＲＢを決定することを含む。
【００１５】
第２態様又は第２態様の第１の可能な実装に関して、第２態様の第２の可能な実装では、リソース割当情報は、ダウンリンク制御情報ＤＣＩである。
【００１６】
第２態様の第１又は第２の可能な実装に関して、第２態様の第３の可能な実装では、リソースブロックユニットがリソースブロックグループＲＢＧであり、第１リソースブロックユニットが第１ＲＢＧである場合、第１マッピング関係は、コンポーネントキャリアのうちのコンポーネントキャリアの第１部分によって占有される複数のＰＲＢを、第１分割閾値に従って少なくとも１つのＲＢＧに分けることによって取得されるマッピング関係であり、第１分割閾値は、コンポーネントキャリアの帯域幅、及びＲＢＧとシステム帯域幅との関係に従って決定され、コンポーネントキャリアの第１部分によって占有される複数のＰＲＢの数量は、第１分割閾値の整数倍であり、
コンポーネントキャリアのうちのコンポーネントキャリアの第１部分以外のコンポーネントキャリアの残りの部分によって占有される複数のＰＲＢの数量が第１分割閾値未満である場合、第２マッピング関係は、拡張キャリア及びコンポーネントキャリアのうちのコンポーネントキャリアの第１部分以外のコンポーネントキャリアの残りの部分を含む第１拡張キャリアによって占有される複数のＰＲＢを、第１分割閾値又は第２分割閾値に従って少なくとも１つのＲＢＧに分けることによって取得されるマッピング関係であり、第２分割閾値は、第１分割閾値とは異なり、第１拡張キャリアの帯域幅、及びＲＢＧとシステム帯域幅との関係に従って決定される。
【００１７】
第２態様の第１又は第２の可能な実装に関して、第２態様の第４の可能な実装では、リソースブロックユニットが仮想リソースブロックＶＲＢであり、第１リソースブロックユニットが第１ＶＲＢである場合、第１マッピング関係は、コンポーネントキャリアによって占有される複数のＶＲＢのうち、インタリーブに関与する複数のＶＲＢを、分散型ＶＲＢマッピング方式でコンポーネントキャリアによって占有される複数のＰＲＢにマッピングすることによって取得されるマッピング関係であり、インタリーブに関与する複数のＶＲＢは、コンポーネントキャリアの第１部分によって占有される複数のＶＲＢであり、
第２マッピング関係は、拡張キャリアによって占有されるＶＲＢ、及びコンポーネントキャリアによって占有される複数のＶＲＢのうち、インタリーブに関与しないＶＲＢを、分散型ＶＲＢマッピング方式で拡張キャリアによって占有されるＰＲＢ及びコンポーネントキャリアによって占有される複数のＰＲＢのうちの残りのＰＲＢにマッピングすることによって取得されるマッピング関係であり、インタリーブに関与しないＶＲＢ及び拡張キャリアによって占有されるＶＲＢは、第１拡張キャリアによって占有される複数のＶＲＢである。
【００１８】
第２態様の第４の可能な実装に関して、第２態様の第５の可能な実装では、第１マッピング関係は、以下の方式：
コンポーネントキャリアの帯域幅に従って第１ＲＢギャップを決定することであって、第１ＲＢギャップは、コンポーネントキャリアによって占有される同じＶＲＢが同じサブフレームの２つの異なるタイムスロットにおいてマッピングされる複数のＰＲＢ間のギャップの値である、決定することと；
コンポーネントキャリアの帯域幅及び第１ＲＢギャップに従って、コンポーネントキャリアによって占有される複数のＶＲＢのうち、インタリーブに関与する複数のＶＲＢの数量を決定することと；
分散型ＶＲＢマッピング方式で、インタリーブに関与する複数のＶＲＢをコンポーネントキャリアによって占有される複数のＰＲＢにマッピングすることと；により取得される。
【００１９】
第２態様の第４の可能な実装に関して、第２態様の第６の可能な実装では、第２マッピング関係は、以下の方式：
第１拡張キャリアの帯域幅に従って第２ＲＢギャップを決定することであって、第１拡張キャリアの帯域幅は、第１拡張キャリアによって占有される複数のＶＲＢに対応する帯域幅であり、第２ＲＢギャップは、第１拡張キャリアによって占有される同じＶＲＢが同じサブフレームの２つの異なるタイムスロットにおいてマッピングされる複数のＰＲＢ間のギャップの値である、決定することと；
第１拡張キャリアの帯域幅及び第２ＲＢギャップに従って、第１拡張キャリアによって占有される複数のＶＲＢのうち、インタリーブに関与する複数のＶＲＢの数量を決定することと；
インタリーブに関与する複数のＶＲＢについて分散型ＶＲＢマッピングを実行し、第１拡張キャリアによって占有される複数のＶＲＢのうち、インタリーブに関与しないＶＲＢについて局所型ＶＲＢマッピングを実行することと；により取得される。
【００２０】
第２態様又は第２態様の第１から第６の可能な実装のいずれかに関して、第２態様の第７の可能な実装では、端末によって、基地局によって送信されたリソース割当情報を受信する前に、方法は、
端末によって、端末タイプ情報を基地局に送信することをさらに含む。
【００２１】
第３の態様によれば、本発明の実施形態は、基地局であって、
端末に割り当てられる第１物理リソース及びリソース割当タイプを決定するように構成され、端末は新システムキャリアをサポートし、新システムキャリアはコンポーネントキャリア及び拡張キャリアを含む、第１決定モジュールと、
リソース割当タイプ、及びリソースブロックユニットと物理リソースとのマッピング関係に従って、第１物理リソースに対応する第１リソースブロックユニットを決定するように構成され、リソースブロックユニットは、基地局がリソースを端末に割り当てるリソース割当粒度であり、リソースブロックユニットと物理リソースとのマッピング関係は、第１マッピング関係及び第２マッピング関係を含み、第１マッピング関係は、リソース割当タイプ及びコンポーネントキャリアのうちのコンポーネントキャリアの第１部分の帯域幅に従って、コンポーネントキャリアの第１部分によって占有されるリソースブロックユニットをコンポーネントキャリアの第１部分によって占有される物理リソースにマッピングすることによって取得されるマッピング関係であり、第２マッピング関係は、リソース割当タイプに従って、第１拡張キャリアによって占有されるリソースブロックユニットを第１拡張キャリアによって占有される物理リソースにマッピングすることによって取得されるマッピング関係であり、第１拡張キャリアは、拡張キャリア及びコンポーネントキャリアのうちのコンポーネントキャリアの第１部分以外のコンポーネントキャリアの残りの部分を含む、第２決定モジュールと、
リソース割当情報を端末に送信するように構成され、リソース割当情報は、リソース割当タイプ及び基地局によって端末に割り当てられた第１リソースブロックユニットの指示情報を含む、送信モジュールと、を含む基地局を提供する。
【００２２】
第３の態様に関して、第３の態様の第１の可能な実装では、物理リソースは物理リソースブロックＰＲＢであり、リソース割当タイプがリソース割当タイプ０又はリソース割当タイプ１である場合、リソースブロックユニットは、リソースブロックグループＲＢＧであり、第１リソースブロックユニットは第１ＲＢＧである、あるいは
リソース割当タイプがリソース割当タイプ２である場合、リソースブロックユニットは仮想リソースブロックＶＲＢであり、第１リソースブロックユニットは第１ＶＲＢであり、対応して、リソース割当情報はマッピング方式情報をさらに含む。
【００２３】
第３の態様又は第３の態様の第１の可能な実装に関して、第３の態様の第２の可能な実装では、リソース割当情報は、ダウンリンク制御情報ＤＣＩである。
【００２４】
第３の態様の第１又は第２の可能な実装に関して、第３の態様の第３の可能な実装では、リソースブロックユニットがリソースブロックグループＲＢＧであり、第１リソースブロックユニットが第１ＲＢＧである場合、
第１マッピング関係は、コンポーネントキャリアのうちのコンポーネントキャリアの第１部分によって占有される複数のＰＲＢを、第１分割閾値に従って少なくとも１つのＲＢＧに分けることによって取得されるマッピング関係であり、第１分割閾値は、コンポーネントキャリアの帯域幅、及びＲＢＧとシステム帯域幅との関係に従って決定され、コンポーネントキャリアの第１部分によって占有される複数のＰＲＢの数量は、第１分割閾値の整数倍であり、
コンポーネントキャリアのうちのコンポーネントキャリアの第１部分以外のコンポーネントキャリアの残りの部分によって占有される複数のＰＲＢの数量が第１分割閾値未満である場合、第２マッピング関係は、拡張キャリア及びコンポーネントキャリアのうちのコンポーネントキャリアの第１部分以外のコンポーネントキャリアの残りの部分を含む第１拡張キャリアによって占有される複数のＰＲＢを、第１分割閾値又は第２分割閾値に従って少なくとも１つのＲＢＧに分けることによって取得されるマッピング関係であり、第２分割閾値は、第１分割閾値とは異なり、第１拡張キャリアの帯域幅、及びＲＢＧとシステム帯域幅との関係に従って決定される。
【００２５】
第３の態様の第１又は第２の可能な実装に関して、第３の態様の第４の可能な実装では、
リソースブロックユニットが仮想リソースブロックＶＲＢであり、第１リソースブロックユニットが第１ＶＲＢである場合、第１マッピング関係は、コンポーネントキャリアによって占有される複数のＶＲＢのうち、インタリーブに関与する複数のＶＲＢを、分散型ＶＲＢマッピング方式でコンポーネントキャリアによって占有される複数のＰＲＢにマッピングすることによって取得されるマッピング関係であり、インタリーブに関与する複数のＶＲＢは、コンポーネントキャリアの第１部分によって占有される複数のＶＲＢであり、
第２マッピング関係は、拡張キャリアによって占有されるＶＲＢ、及びコンポーネントキャリアによって占有される複数のＶＲＢのうち、インタリーブに関与しないＶＲＢを、分散型ＶＲＢマッピング方式で拡張キャリアによって占有されるＰＲＢ、及びコンポーネントキャリアによって占有される複数のＰＲＢのうちの残りのＰＲＢにマッピングすることによって取得されるマッピング関係であり、インタリーブに関与しないＶＲＢ及び拡張キャリアによって占有されるＶＲＢは、第１拡張キャリアによって占有される複数のＶＲＢである。
【００２６】
第３の態様の第４の可能な実装に関して、第３の態様の第５の可能な実装では、第１マッピング関係は、以下の方式：
コンポーネントキャリアの帯域幅に従って第１ＲＢギャップを決定することであって、第１ＲＢギャップは、コンポーネントキャリアによって占有される同じＶＲＢが同じサブフレームの２つの異なるタイムスロットにおいてマッピングされる複数のＰＲＢ間のギャップの値である、決定することと；
コンポーネントキャリアの帯域幅及び第１ＲＢギャップに従って、コンポーネントキャリアによって占有される複数のＶＲＢのうち、インタリーブに関与する複数のＶＲＢの数量を決定することと；
分散型ＶＲＢマッピング方式で、インタリーブに関与する複数のＶＲＢをコンポーネントキャリアによって占有される複数のＰＲＢにマッピングすることと；により取得される。
【００２７】
第３の態様の第４の可能な実装に関して、第３の態様の第６の可能な実装では、第２マッピング関係は、以下の方式：
第１拡張キャリアの帯域幅に従って第２ＲＢギャップを決定することであって、第１拡張キャリアの帯域幅は、第１拡張キャリアによって占有される複数のＶＲＢに対応する帯域幅であり、第２ＲＢギャップは、第１拡張キャリアによって占有される同じＶＲＢが同じサブフレームの２つの異なるタイムスロットにおいてマッピングされる複数のＰＲＢ間のギャップの値である、決定することと；
第１拡張キャリアの帯域幅及び第２ＲＢギャップに従って、第１拡張キャリアによって占有される複数のＶＲＢのうち、インタリーブに関与する複数のＶＲＢの数量を決定することと；
インタリーブに関与する複数のＶＲＢについて分散型ＶＲＢマッピングを実行し、第１拡張キャリアによって占有される複数のＶＲＢのうち、インタリーブに関与しないＶＲＢについて局所型ＶＲＢマッピングを実行することと；により取得される。
【００２８】
第３の態様又は第３の態様の第１から第６の可能な実装のいずれかに関して、第３の態様の第７の可能な実装では、基地局は、記憶モジュールをさらに含み、記憶モジュールは、リソースブロックユニットと物理リソースとのマッピング関係を記憶するように構成される。
【００２９】
第３の態様又は第３の態様の第１から第７の可能な実装のいずれかに関して、第３の態様の第８の可能な実装では、基地局は、
端末が新システムキャリアをサポートする端末であると決定するように構成される識別モジュールをさらに含む。
【００３０】
第４の態様によれば、本発明の実施形態は、端末であって、
基地局によって送信されたリソース割当情報を受信するように構成され、端末は新システムキャリアをサポートし、新システムキャリアはコンポーネントキャリア及び拡張キャリアを含み、リソース割当情報はリソース割当タイプ及び基地局によって端末に割り当てられた第１リソースブロックユニットの指示情報を含む、受信モジュールと、
リソース割当情報、及びリソースブロックユニットと物理リソースとのマッピング関係に従って、基地局によって端末に割り当てられた第１リソースブロックユニットに対応する第１物理リソースを決定するように構成され、リソースブロックユニットと物理リソースとのマッピング関係は、第１マッピング関係及び第２マッピング関係を含み、第１マッピング関係は、リソース割当タイプ及びコンポーネントキャリアのうちのコンポーネントキャリアの第１部分の帯域幅に従って、コンポーネントキャリアの第１部分によって占有されるリソースブロックユニットをコンポーネントキャリアの第１部分によって占有される物理リソースにマッピングすることによって取得されるマッピング関係であり、第２マッピング関係は、リソース割当タイプに従って、第１拡張キャリアによって占有されるリソースブロックユニットを第１拡張キャリアによって占有される物理リソースにマッピングすることによって取得されるマッピング関係であり、第１拡張キャリアは、拡張キャリア及びコンポーネントキャリアのうちのコンポーネントキャリアの第１部分以外のコンポーネントキャリアの残りの部分を含む、決定モジュールと、を含む端末。
【００３１】
第４の態様に関して、第４の態様の第１の可能な実装では、物理リソースは物理リソースブロックＰＲＢであり、リソース割当タイプがリソース割当タイプ０又はリソース割当タイプ１である場合、リソースブロックユニットはリソースブロックグループＲＢＧであり、第１リソースブロックユニットは第１ＲＢＧであり、対応して、決定モジュールは、第１リソースブロックユニットの指示情報及びリソース割当タイプに対応する、リソースブロックユニットとＰＲＢとのマッピング関係に従って、第１ＰＲＢを決定するように特に構成される、あるいは
リソース割当タイプがリソース割当タイプ２である場合、リソースブロックユニットは、仮想リソースブロックＶＲＢであり、第１リソースブロックユニットは第１ＶＲＢであり、対応して、リソース割当情報はマッピング方式情報をさらに含み、決定モジュールは、第１リソースブロックユニットの指示情報及びリソース割当タイプとマッピング方式情報との両方に対応する、リソースブロックユニットとＰＲＢとのマッピング関係に従って、第１ＰＲＢを決定するように特に構成される。
【００３２】
第４の態様又は第４の態様の第１の可能な実装に関して、第４の態様の第２の可能な実装では、リソース割当情報は、ダウンリンク制御情報ＤＣＩである。
【００３３】
第４の態様の第１又は第２の可能な実装に関して、第４の態様の第３の可能な実装では、
リソースブロックユニットがリソースブロックグループＲＢＧであり、第１リソースブロックユニットが第１ＲＢＧである場合、第１マッピング関係は、コンポーネントキャリアのうちのコンポーネントキャリアの第１部分によって占有される複数のＰＲＢを、第１分割閾値に従って少なくとも１つのＲＢＧに分けることによって取得されるマッピング関係であり、第１分割閾値は、コンポーネントキャリアの帯域幅及びＲＢＧとシステム帯域幅との関係に従って決定され、コンポーネントキャリアの第１部分によって占有される複数のＰＲＢの数量は、第１分割閾値の整数倍であり、
コンポーネントキャリアのうちのコンポーネントキャリアの第１部分以外のコンポーネントキャリアの残りの部分によって占有される複数のＰＲＢの数量が第１分割閾値未満である場合、第２マッピング関係は、拡張キャリア及びコンポーネントキャリアのうちのコンポーネントキャリアの第１部分以外のコンポーネントキャリアの残りの部分を含む第１拡張キャリアによって占有される複数のＰＲＢを、第１分割閾値又は第２分割閾値に従って少なくとも１つのＲＢＧに分けることによって取得されるマッピング関係であり、第２分割閾値は、第１分割閾値とは異なり、第１拡張キャリアの帯域幅、及びＲＢＧとシステム帯域幅との関係に従って決定される。
【００３４】
第４の態様の第１又は第２の可能な実装に関して、第４の態様の第４の可能な実装では、
リソースブロックユニットが仮想リソースブロックＶＲＢであり、第１リソースブロックユニットが第１ＶＲＢである場合、第１マッピング関係は、コンポーネントキャリアによって占有される複数のＶＲＢのうち、インタリーブに関与する複数のＶＲＢを、分散型ＶＲＢマッピング方式でコンポーネントキャリアによって占有される複数のＰＲＢにマッピングすることによって取得されるマッピング関係であり、インタリーブに関与する複数のＶＲＢは、コンポーネントキャリアの第１部分によって占有される複数のＶＲＢであり、
第２マッピング関係は、拡張キャリアによって占有されるＶＲＢ、及びコンポーネントキャリアによって占有される複数のＶＲＢのうち、インタリーブに関与しないＶＲＢを、分散型ＶＲＢマッピング方式で拡張キャリアによって占有されるＰＲＢ及びコンポーネントキャリアによって占有される複数のＰＲＢのうちの残りのＰＲＢにマッピングすることによって取得されるマッピング関係であり、インタリーブに関与しないＶＲＢ及び拡張キャリアによって占有されるＶＲＢは、第１拡張キャリアによって占有される複数のＶＲＢである。
【００３５】
第４の態様の第４の可能な実装に関して、第４の態様の第５の可能な実装では、
第１マッピング関係は、以下の方式：
コンポーネントキャリアの帯域幅に従って第１ＲＢギャップを決定することであって、第１ＲＢギャップは、コンポーネントキャリアによって占有される同じＶＲＢが同じサブフレームの２つの異なるタイムスロットにおいてマッピングされる複数のＰＲＢ間のギャップの値である、決定することと；
コンポーネントキャリアの帯域幅及び第１ＲＢギャップに従って、コンポーネントキャリアによって占有される複数のＶＲＢのうち、インタリーブに関与する複数のＶＲＢの数量を決定することと；
分散型ＶＲＢマッピング方式で、インタリーブに関与する複数のＶＲＢをコンポーネントキャリアによって占有される複数のＰＲＢにマッピングすることと；により取得される。
【００３６】
第４の態様の第４の可能な実装に関して、第４の態様の第６の可能な実装では、
第２マッピング関係は、以下の方式：
第１拡張キャリアの帯域幅に従って第２ＲＢギャップを決定することであって、第１拡張キャリアの帯域幅は、第１拡張キャリアによって占有される複数のＶＲＢに対応する帯域幅であり、第２ＲＢギャップは、第１拡張キャリアによって占有される同じＶＲＢが同じサブフレームの２つの異なるタイムスロットにおいてマッピングされる複数のＰＲＢ間のギャップの値である、決定することと；
第１拡張キャリアの帯域幅及び第２ＲＢギャップに従って、第１拡張キャリアによって占有される複数のＶＲＢのうち、インタリーブに関与する複数のＶＲＢの数量を決定することと；
インタリーブに関与する複数のＶＲＢについて分散型ＶＲＢマッピングを実行し、第１拡張キャリアによって占有される複数のＶＲＢのうち、インタリーブに関与しないＶＲＢについて局所型ＶＲＢマッピングを実行することと；により取得される。
【００３７】
第４の態様又は第４の態様の第１から第６の可能な実装に関して、第４の態様の第７の可能な実装では、端末は、記憶モジュールをさらに含み、記憶モジュールは、リソースブロックユニットと物理リソースとのマッピング関係を記憶するように構成される。
【００３８】
第４の態様又は第４の態様の第１から第７の可能な実装に関して、第４の態様の第８の可能な実装では、端末は、端末タイプ情報を基地局に送信するように構成される報告モジュールをさらに含む。
【００３９】
本発明の実施形態においては、基地局は、リソース割当タイプ、及び新システムキャリアをサポートする端末に割り当てられる第１物理リソースを決定し、さらに、リソース割当タイプ、及びリソースブロックユニットと物理リソースとのマッピング関係に従って、第１物理リソースに対応する第１リソースブロックユニットを決定し、次いで、リソース割当タイプ及び第１リソースブロックユニットの指示情報を含むリソース割当情報を端末に送信して、新システムキャリアに適用されるリソース割当方法が実装されるようにする。さらに、第１マッピング関係は、リソース割当タイプ及びコンポーネントキャリアのうちのコンポーネントキャリアの第１部分の帯域幅に従って、コンポーネントキャリアの第１部分によって占有されるリソースブロックユニットをコンポーネントキャリアの第１部分によって占有される物理リソースにマッピングすることによって取得されるマッピング関係である。したがって、新端末が新システムキャリアを使用してデータを送信するときに、従来端末も標準コンポーネントキャリアを使用してデータを送信することができる、すなわち、新システムキャリアが従来端末と互換性を有することを保証することができ、リソース利用を改善することができるようにする。
【図面の簡単な説明】
【００４０】
本発明の実施形態における技術的解決手段をより明確に説明するために、以下簡潔に、実施形態又は従来技術を説明するために必要な添付図面を説明する。明らかに、以下の説明での添付図面は、本発明のいくつかの実施形態を示し、当業者は、創造的な努力なしに、これらの添付図面から別の図面をさらに導出することができる。
【図１Ａ】新システムキャリアの概略図である。
【図１Ｂ】ＲＢＧ分割の概略図１である。
【図１Ｃ】分散リソース割り当ての概略図１である。
【図１Ｄ−１】従来端末及び新端末に対するＲＢＧ分割の概略図１である。
【図１Ｄ−２】従来端末及び新端末に対するＲＢＧ分割の概略図１である。
【図１Ｅ−１】従来端末及び新端末に対する分散型リソース割り当ての概略図である。
【図１Ｅ−２】従来端末及び新端末に対する分散型リソース割り当ての概略図である。
【図２Ａ】本発明によるリソース割当方法の実施形態１の概略フローチャートである。
【図２Ｂ−１】従来端末及び新端末に対するＲＢＧ分割の概略図２である。
【図２Ｂ−２】従来端末及び新端末に対するＲＢＧ分割の概略図２である。
【図２Ｃ−１】分散型リソース割り当ての概略図２である。
【図２Ｃ−２】分散型リソース割り当ての概略図２である。
【図３】本発明によるリソース割当方法の実施形態２の概略フローチャートである。
【図４】本発明の実施形態による基地局の概略構造図である。
【図５】本発明の別の実施形態による基地局の概略構造図である。
【図６】本発明の実施形態による端末の概略構造図である。
【図７】本発明の別の実施形態による端末の概略構造図である。
【発明を実施するための形態】
【００４１】
本発明の実施形態の目的、技術的解決手段及び利点をより明確にするために、以下明確に、本発明の実施形態における添付の図面を参照しながら、本発明の実施形態における技術的解決手段を説明する。明らかに、説明される実施形態は、本発明の実施形態の一部であってすべてではない。当業者によって、創造的な努力なしに、本発明の実施形態に基づいて取得される他のすべての実施形態は、本発明の保護範囲に包含されるものとする。
【００４２】
本発明の実施形態における基地局（例えば、アクセスポイント）は、アクセスネットワーク内のエアインタフェースを介し１つ以上のセクタを使用することによって無線端末と通信するデバイスとすることができる。基地局は、受信された無線フレームとＩＰパケットとの相互変換を実行し、無線端末とアクセスネットワークの残りの部分との間のルータとして機能するように構成されることができる。アクセスネットワークの残りの部分は、インターネット・プロトコル（ＩＰ）ネットワークを含むことができる。基地局は、さらに、無線インタフェースの属性管理を調整することができる。例えば、基地局は、ＧＳＭ（登録商標）又はＣＤＭＡにおける基地局（ＢＴＳ：Base  Transceiver  Station）とすることができ、ＷＣＤＭＡ（登録商標）におけるノードＢ（ＮｏｄｅＢ）とすることができ、あるいはＬＴＥにおける進化型ノードＢとすることができる。これは、本発明の実施形態では限定されない。
【００４３】
ユーザ機器とも呼ばれ得る本発明の実施形態における端末は、無線端末とすることができる。無線端末は、ユーザに音声及び／又はデータ接続性を提供するデバイス、無線接続機能を有するハンドヘルドデバイス、又は無線モデムに接続された別の処理デバイスとすることができる。無線端末は、無線アクセスネットワーク（ＲＡＮ）を使用することによって、１つ以上のコアネットワークと通信することができる。無線端末は、携帯電話（「セルラー」電話とも呼ばれる）などの移動端末及び移動端末を備えたコンピュータとすることができ、例えば、携帯用、ポケットサイズ、ハンドヘルド型、コンピュータ内蔵型又は車載の移動装置であり、無線アクセスネットワークと音声及び／又はデータを交換するものとすることができる。例えば、無線端末は、パーソナル通信サービス（ＰＣＳ）電話、コードレス電話機、セッション開始プロトコル（ＳＩＰ）電話、無線ローカルループ（ＷＬＬ）局、又はパーソナル・デジタル・アシスタント（ＰＤＡ）とすることができる。無線端末は、システム、加入者ユニット、加入者局、移動局、遠隔局、アクセスポイント、遠隔端末、アクセス端末、ユーザ端末、ユーザエージェント、ユーザデバイス、又はユーザ機器とも呼ばれ得る。従来端末は、標準コンポーネントキャリアのみをサポートする端末であり、例えば、リリース８端末又はリリース９端末である。新端末は、新システムキャリアをサポートすることができる端末であり、例えば、リリース１５端末又はリリース１６端末である。
【００４４】
本発明の実施形態における標準コンポーネントキャリア（簡潔にコンポーネントキャリアと呼ばれる）は、標準システム帯域幅に対応するキャリアであり、例えば、ＬＴＥ技術における６つの標準システム帯域幅（１．４ＭＨｚ、３ＭＨｚ、５ＭＨｚ、１０ＭＨｚ、１５ＭＨｚ、及び２０ＭＨｚ）に対応するコンポーネントキャリアとすることができる。
【００４５】
本発明の実施形態における新システムキャリアは、コンポーネントキャリア及び拡張キャリアを含むシステムキャリアである。拡張キャリアは、標準システム帯域幅以外の帯域幅に対応するキャリアである。新システムキャリアの帯域幅が８ＭＨｚであり、標準コンポーネントキャリアの帯域幅が５ＭＨｚである場合、残りの帯域幅３ＭＨｚに対応するキャリアが拡張キャリアである。
【００４６】
既存のＬＴＥ技術におけるダウンリンクでは、直交周波数分割多元接続（略してＯＦＤＭＡ）が、リソースブロック（略してＲＢ）に基づいた周波数領域におけるリソース割り当てを実装するために使用される。各リソースブロックは１２個のサブキャリアを含む。リソース割当粒度は仮想リソースブロック（略してＶＲＢ）である。ＶＲＢと物理リソースブロック（、略してＰＲＢ）との間にマッピング関係がある。既存のシステムでは、１．４ＭＨｚ、３ＭＨｚ、５ＭＨｚ、１０ＭＨｚ、１５ＭＨｚ、及び２０ＭＨｚの合計６つの標準システム帯域幅に対応する標準コンポーネントキャリアがサポートされる。６つの標準システム帯域幅に別々に含まれる複数のＲＢの数量は、６、１５、２５、５０、７５、及び１００である（すなわち、１．４ＭＨｚのコンポーネントキャリアによって占有される複数のＲＢの数量は６であり、３ＭＨｚの標準システム帯域幅に含まれる複数のＲＢの数量は１５であり、５ＭＨｚの標準システム帯域幅に含まれる複数のＲＢの数量は２５であり、１０ＭＨｚの標準システム帯域幅に含まれる複数のＲＢの数量は５０であり、１５ＭＨｚの標準システム帯域幅に含まれる複数のＲＢの数量は７５であり、２０ＭＨｚの標準システム帯域幅に含まれる複数のＲＢの数量は１００である）。
【００４７】
既存のＬＴＥでは、３つのダウンリンクリソース割当方式が定義されている。すなわち、タイプ（type）０、タイプ１、及びタイプ２である。以下最初に、３つのダウンリンクリソース割当方式を別々に簡潔に説明する。
【００４８】
（１）リソース割当タイプ０
リソース割当タイプ０の場合、割り当てるリソースブロックグループ（略してＲＢＧ）のステータスがビットマップ（Bitmap）方式で示され、リソース割当タイプ０の場合の割当粒度はＲＢＧである。ＲＢＧは、連続的な局所化された複数のＶＲＢ又は複数のＰＲＢのセットである。ＲＢＧサイズは、Ｐ（すなわち、各ＲＢＧに含まれる複数のＶＲＢ又は複数のＰＲＢの数量）（Ｐの値は、１、２、３又は４とすることができる）として示される。Ｐはシステム帯域幅に関連し、対応が表１に示される（表１は、ＲＢＧとシステム帯域幅との関係表である）。ここでは、
（外１）
0006595098.tif 000002
は、ダウンリンクシステム帯域幅に含まれる複数のＲＢの数量である。リソース割当タイプ０の場合、複数のＶＲＢは複数のＰＲＢに１対１方式でマッピングされるため、ＶＲＢとＲＢＧとのマッピング関係が、ＰＲＢとＲＢＧとのマッピング関係としてみなされ得る。
【００４９】
【表１】
0006595098.tif 000003
ビットマップは合計
（外２）
0006595098.tif 000004
ビットを含み、各ビットは１つのＲＢＧに対応する。任意で、これらのビットマップ指示ビットは、基地局によって送信されるダウンリンク制御情報（、略してＤＣＩ）におけるリソースブロック割当（Resource  block  assignment）フィールドを使用することによって端末に通知される。
【００５０】
本発明の実施形態では、説明のために例として５ＭＨｚ（２５個のＲＢ）の帯域幅が使用される。表１から、Ｐ＝２である（すなわち、各ＲＢＧが２つのＶＲＢ又はＰＲＢを含む）ことが分かり得、合計１３個のＲＢＧがあり、最後のＲＢＧのサイズが１と決定されるようにする。図１Ｂ（図１ＢはＲＢＧ分割の概略図１である）に示されるように、ＲＢＧ１２はＰＲＢ２４のみを含む。
（２）リソース割当タイプ１
リソース割当タイプ１は、ＲＢＧベースの非連続的なＶＲＢ割り当てである。ＤＣＩにおけるリソースブロック割当フィールドは、リソース割当タイプ１を指示するために
（外３）
0006595098.tif 000005
ビットを必要とする。ＤＣＩにおける１つのビットは、基地局がリソース割当タイプ０又はリソース割当タイプ１を使用するかどうかを示すために使用される。
【００５１】
ＲＢＧは、Ｐ個のＲＢＧサブセットに分割される。例えば、システム帯域幅が５ＭＨｚのとき、ＲＢＧは、表２に示されるように分割される（表２は、ＲＢＧ分割表である）。
【００５２】
【表２】
0006595098.tif 000006
ここでは、
（外４）
0006595098.tif 000007
ビットは選択されたＲＢＧサブセットを示すために使用され、１つのビットはＲＢＧサブセットにおいてリソースのシフトがあるかどうかを示すために使用され、
（外５）
0006595098.tif 000008
ビットは、対応するサブセットにおいてＲＢが呼び出されるかどうかを示すためにビットマップとして使用される。
【００５３】
（３）リソース割当タイプ２
リソース割当タイプ２は、連続するＶＲＢ割り当てである。リソース指示値（略してＲＩＶ）が、割り当てられた複数のＶＲＢの開始位置と、連続して割り当てられた複数のＶＲＢに関する長さとを示すために使用される。プロトコルにおけるＲＩＶ計算方式は以下のようである。すなわち、
【００５４】
【数１】
0006595098.tif 000009
ここで、ＬＣＲＢｓは、連続して割り当てられたリソースブロックに関する長さを示し、ＲＢＳＴＡＲＴは、割り当てられた開始リソースブロックの位置に対応し、
（外６）
0006595098.tif 000010
は、ダウンリンクシステム帯域幅に含まれる複数のＲＢの数量である。
【００５５】
リソース割当タイプ２の場合、仮想リソースブロック（ＶＲＢ）は物理リソースブロック（ＰＲＢ）にマッピングされる必要があり、マッピング方式は、局所型ＶＲＢ（略してＬ−ＶＲＢ）マッピング方式と、分散型ＶＲＢ（略してＤ−ＶＲＢ）マッピング方式とに分類される。マッピング方式である。ダウンリンクタイプ２リソース割当指示における１つのビットが、Ｌ−ＶＲＢ又はＤ−ＶＲＢが使用されるかどうかを示すために使用される。ｎＶＲＢは仮想リソースブロックの数であり、ｎＶＲＢは物理リソースブロックの数であると仮定する。（１）局所型ＶＲＢマッピング方式は以下の通りである。すなわち、複数のＶＲＢは１対１方式で複数のＰＲＢにマッピングされる。すなわち、ｎＶＲＢ＝ｎＶＲＢである。
【００５６】
（２）分散型ＶＲＢマッピング方式は以下ようである。すなわち、各ＶＲＢはインタリーバを使用してＰＲＢにマッピングされる。インタリーブに関与する複数のＶＲＢの数量
（外７）
0006595098.tif 000011
は、ダウンリンクシステム帯域幅
（外８）
0006595098.tif 000012
、ギャップ（Gap）値（Ｎｇａｐ）、及びＲＢＧサイズＰに関連する。任意で、インタリーブに関与する複数のＶＲＢの数量
（外９）
0006595098.tif 000013
は、システム帯域幅に含まれる複数のＰＲＢの数量
（外１０）
0006595098.tif 000014
以下である。同じＶＲＢが同じサブフレームの２つの異なるタイムスロットにおける異なる複数のＰＲＢにマッピングされる。異なる２つのＰＲＢ間にはギャップの値がある。ギャップ値は表３に従って決定される（表３は、ＲＢギャップ値表である）。
【００５７】
【表３】
0006595098.tif 000015
具体的には、インタリーブに関与する複数のＶＲＢの数量
（外１１）
0006595098.tif 000016
を決定する方式は以下ようである。すなわち、（１）Ｎｇａｐ＝Ｎｇａｐ，１であるときは、
（外１２）
0006595098.tif 000017
は、式
【００５８】
【数２】
0006595098.tif 000018
を用いて決定される。（２）Ｎｇａｐ＝Ｎｇａｐ，２であるときは、
（外１３）
0006595098.tif 000019
は、式
【００５９】
【数３】
0006595098.tif 000020
を用いて決定される。例えば、システム帯域幅が５ＭＨｚ（２５個のＲＢ）であるときは、表３に従ってＮｇａｐ＝Ｎｇａｐ，１＝１２と決定される。この場合、
【００６０】
【数４】
0006595098.tif 000021
であり、インタリーブに関与する複数のＶＲＢの数量は２４である。すなわち、分散型ＶＲＢマッピングは、２４個のＶＲＢ（０〜２３の番号が付されている）についてのみ実行され、番号が２４のＶＲＢは、番号が２４のＰＲＢに直接マッピングされる（すなわち、ＶＲＢ２４は、局所型ＶＲＢマッピング方式でマッピングされる）。具体的なマッピング結果は、図１Ｃ（図１Ｃは、分散型リソース割り当ての概略図１である）に示される。ｇａｐ＝１２であり、ＶＲＢ０はタイムスロット０においてＰＲＢ０にマッピングされるため、ＶＲＢ０はタイムスロット１においてＰＲＢ（0  +  gap）、すなわちＰＲＢ１２にマッピングされる。
【００６１】
すべての既存のダウンリンクリソース割当方式は、標準コンポーネントキャリア（例えば、ＬＴＥによってサポートされる６つの標準帯域幅）に使用される。本発明の発明者は、既存のダウンリンクリソース割当方式が新システムキャリア（標準コンポーネントキャリア及び拡張キャリアを含む）に直接適用される場合、リソースが従来端末及び新システムキャリアをサポートする新端末に割り当てられるときに、リソース割り当ての衝突又はリソースの無駄が発生する可能性があり、結果として、新システムキャリアが従来端末と互換性を有することができないことを見出している。
【００６２】
本発明の実施形態では、説明のために例として８ＭＨｚ（４０個のＲＢ）のシステム帯域幅が使用される。従来端末は、５ＭＨｚの標準システム帯域幅（すなわち、標準コンポーネントキャリア）のみにアクセスすることができ、８ＭＨｚをサポートする新端末は、８ＭＨｚのシステム帯域幅全体（すなわち、コンポーネントキャリア及び拡張キャリア）にアクセスすることができる。具体的には、表１から、システム帯域幅が８ＭＨｚ（新システムキャリア）であるときは、ＲＢＧサイズ（Ｐ）は３であることが分かり得る。システム帯域幅が５ＭＨｚ（標準コンポーネントキャリア）であるときは、ＲＢＧサイズ（Ｐ）は２である。リソースがリソース割当タイプ０に従って直接割り当てられる場合、従来端末に対するＲＢＧ分割と新端末に対するＲＢＧ分割が図１Ｄ−１及び図１Ｄ−２（図１Ｄ−１及び図１Ｄ−２は、従来端末に対するＲＢＧ分割及び新端末に対するＲＢＧ分割の概略図１である）に示される。図１Ｄ−１及び図１Ｄ−２に示されるように、新端末によってサポートされる新システムキャリアのうちのコンポーネントキャリアによって占有される複数のＰＲＢのＲＢＧ分割方式は、従来端末によってサポートされる標準コンポーネントキャリアによって占有される複数のＰＲＢのＲＢＧ分割方式とは異なる。新端末に対応するＲＢＧ１（ＰＲＢ３、ＰＲＢ４、及びＰＲＢ５に対応）（図１Ｄ−１の第２表において灰色部分で示される）が新端末に割り当てられる場合、従来端末に対応するＲＢＧ１（ＰＲＢ２及びＰＲＢ３に対応）とＲＢＧ２（ＰＲＢ４及びＰＲＢ５に対応）（図１Ｄ−１の第１表において灰色部分で示される）は従来端末に割り当てられることができない。従来端末に対応するＲＢＧ１又はＲＢＧ２が従来端末に割り当てられる場合、リソース割り当ての衝突が発生する。従来端末によりサポートされる標準コンポーネントキャリアに対応するＰＲＢ２は使用されないことが分かり得る。結果として、リソースの無駄が生じる。同様に、新システムキャリアでのリソースがリソース割当タイプ１を使用して直接割り当てられるときにも同様のリソースの無駄の問題が発生する。
【００６３】
新システムキャリアでのリソースがリソース割当タイプ２を使用して直接割り当てられるとき、システム帯域幅が８ＭＨｚ（４０個のＲＢ）である場合、表３に従って、Ｎｇａｐ＝Ｎｇａｐ，１＝１８と決定される。この場合、
【００６４】
【数５】
0006595098.tif 000022
であり、インタリーブに関与する複数のＶＲＢの数量は３６である。すなわち、分散型ＶＲＢマッピングは、３６個のＶＲＢ（０〜３５の番号が付されている）についてのみ実行され、番号が３６〜３９のＶＲＢは、番号が３６〜３９のＰＲＢに直接マッピングされる（すなわち、ＶＲＢ３６〜３９は、局所型ＶＲＢマッピング方式でマッピングされる）。具体的なマッピング結果が図１Ｅ−１及び図１Ｅ−２（図１Ｅ−１及び図１Ｅ−２は、従来端末に対する分散型リソース割り当て及び新端末に対する分散型リソース割り当ての概略図である）に示される。ｇａｐ＝１８であり、ＶＲＢ０はタイムスロット０（slot  0）においてＰＲＢ０にマッピングされるため、ＶＲＢ０はタイムスロット１（slot  1）においてＰＲＢ（0  +  gap）、すなわち、ＰＲＢ１８にマッピングされる。従来端末によって使用されるシステム帯域幅は、新端末によって使用されるシステム帯域幅と異なるため、従来端末及び新端末は、異なるギャップ値及びインタリーブに関与する複数のＶＲＢの異なる数量に対応し、従来端末及び新端末に対応する標準コンポーネントキャリアによって占有される、ＶＲＢとＰＲＢとのマッピング関係が異なるようにする（すなわち、同じＶＲＢ番号は、異なるＰＲＢ番号に対応する）。結果として、リソース割り当ての衝突が発生する可能性があり、それゆえ、新システムキャリアは、従来端末と互換性を有することができない。
【００６５】
したがって、本発明の実施形態は、新システムキャリアに適用されるリソース割当方法を提供し、新端末が新システムキャリアを使用してデータを送信するときに、従来端末も標準コンポーネントキャリアを使用してデータを送信することができる、すなわち、新システムキャリアが従来端末と互換性を有することを保証することができ、リソース利用を改善することができるようにする。
【００６６】
図２Ａは、本発明によるリソース割当方法の実施形態１の概略フローチャートである。この実施形態における解決手段は、新システムキャリアに適用され得る。新システムキャリアは、コンポーネントキャリア及び拡張キャリアを含む。図２Ａに示されるように、この実施形態における方法は、以下のステップを含むことができる。
【００６７】
Ｓ２０１：基地局は、端末に割り当てられる第１物理リソース及びリソース割当タイプを決定する。
【００６８】
本発明のこの実施形態では、基地局は、端末に割り当てられる第１物理リソース及びリソース割当タイプを決定する。端末は、新システムキャリアをサポートする端末である。新システムキャリアは、コンポーネントキャリア及び拡張キャリアを含む。基地局は、１つ以上の要因に従って、第１物理リソース及びリソース割当タイプを決定することができる。例えば、基地局は、リソース割当ステータスに従って、端末に割り当てられる第１物理リソース及びリソース割当タイプを決定することができる。リソース割当ステータスは、割り当て済みの物理リソースについての情報、例えば、割り当て済みの物理リソースの数量などの情報を含む。具体的には、残りの物理リソースのうちの連続する物理リソースが、端末に割り当てるには不十分ではあるが、ＲＢＧが、端末に割り当てるには十分である場合、リソース割当タイプ０又はリソース割当タイプ１が使用され得る。残りの物理リソース内のＲＢＧが、端末に割り当てるには不十分である場合は、リソース割当タイプ２が使用され得る。任意で、リソース割当タイプは、以下のタイプのいずれかを含むが、これに限られない。すなわち、リソース割当タイプ０、リソース割当タイプ１、及びリソース割当タイプ２である。第１物理リソースは、１つの物理リソースのみを表すのではなく、少なくとも１つの物理リソースを表すことができる。任意で、本発明のこの実施形態では、物理リソースはＰＲＢとすることができる。対応して、第１物理リソースは第１ＰＲＢとすることができ、リソースブロックユニットと物理リソースとのマッピング関係は、リソースブロックユニットとＰＲＢとのマッピング関係である。確かに、物理リソースは、代替的に、別の形態の物理リソースとすることができる。これは、本発明のこの実施形態では限定されない。
【００６９】
本発明のこの実施形態では、基地局が、端末に割り当てられる第１物理リソース及びリソース割当タイプを決定する方式について、従来技術を参照することが理解され得る。
【００７０】
Ｓ２０２：基地局は、リソース割当タイプ及びリソースブロックユニットと物理リソースとのマッピング関係に従って、第１物理リソースに対応する第１リソースブロックユニットを決定する。
【００７１】
リソースブロックユニットは、基地局がリソース割当タイプに対してリソースを端末に割り当てるリソース割当粒度である。リソースブロックユニットと物理リソースとのマッピング関係は、第１マッピング関係及び第２マッピング関係を含むことができる。第１マッピング関係は、リソース割当タイプ及びコンポーネントキャリアのうちのコンポーネントキャリアの第１部分の帯域幅に従って、コンポーネントキャリアの第１部分によって占有されるリソースブロックユニットを、コンポーネントキャリアの第１部分によって占有される物理リソースにマッピングすることによって取得されるマッピング関係である。第２マッピング関係は、リソース割当タイプに従って、第１拡張キャリアによって占有されるリソースブロックユニットを、第１拡張キャリアによって占有される物理リソースにマッピングすることによって取得されるマッピング関係であり、ここで、第１拡張キャリアは、拡張キャリア及びコンポーネントキャリアのうちのコンポーネントキャリアの第１部分以外のコンポーネントキャリアの残りの部分を含む。
【００７２】
コンポーネントキャリアのうちのコンポーネントキャリアの第１部分以外のコンポーネントキャリアの残りの部分は、ゼロとすることができる、すなわち、コンポーネントキャリアの第１部分はコンポーネントキャリア全体であると理解され得る。この場合、第１マッピング関係は、リソース割当タイプ及びコンポーネントキャリアの帯域幅に従って、コンポーネントキャリアによって占有されるリソースブロックユニットを、コンポーネントキャリアによって占有される物理リソースにマッピングすることによって取得されるマッピング関係である。対応して、第２マッピング関係は、リソース割当タイプに従って、拡張キャリアによって占有されるリソースブロックユニットを、拡張キャリアによって占有される物理リソースにマッピングすることによって取得されるマッピング関係である。
【００７３】
本発明のこの実施形態では、物理リソースは物理リソースブロックＰＲＢとすることができ、異なるリソース割当タイプが、リソースブロックユニットと物理リソースとの異なるマッピング関係に対応することができる。任意で、リソース割当タイプがリソース割当タイプ０又はリソース割当タイプ１である場合、リソースブロックユニットはリソースブロックグループＲＢＧである。対応して、リソースブロックユニットと物理リソースとのマッピング関係は、ＲＢＧとＰＲＢとのマッピング関係である。リソース割当タイプがリソース割当タイプ２である場合、リソースブロックユニットは仮想リソースブロックＶＲＢである。対応して、リソースブロックユニットと物理リソースとのマッピング関係は、ＶＲＢとＰＲＢとのマッピング関係である。
【００７４】
異なるリソース割当タイプに対しては、基地局によって決定される第１物理リソースに対応する第１リソースブロックユニットも異なることがある。例えば、リソース割当タイプがリソース割当タイプ０又はリソース割当タイプ１である場合、リソースブロックユニットはリソースブロックグループＲＢＧであり、第１リソースブロックユニットは第１ＲＢＧである。リソース割当タイプがリソース割当タイプ２である場合、リソースブロックユニットは仮想リソースブロックＶＲＢであり、第１リソースブロックユニットは第１ＶＲＢである。
【００７５】
任意で、各リソース割当タイプに対応する、リソースブロックユニットと物理リソースとのマッピング関係は、基地局において予め設定されることができる。代替的には、新システムキャリアをサポートする端末にリソースを割り当てる前に、基地局は各リソース割当タイプに対応する、リソースブロックユニットと物理リソースとのマッピング関係を決定することができる。具体的には、基地局は、リソース割当タイプ及びコンポーネントキャリアのうちのコンポーネントキャリアの第１部分の帯域幅に従って、コンポーネントキャリアの第１部分によって占有されるリソースブロックユニットを、コンポーネントキャリアの第１部分によって占有される物理リソースにマッピングすることによって第１マッピング関係を取得し、基地局は、リソース割当タイプに従って、第１拡張キャリアによって占有されるリソースブロックユニットを、第１拡張キャリアによって占有される物理リソースにマッピングすることによって第２マッピング関係を取得し、ここで、第１拡張キャリアは、拡張キャリア及びコンポーネントキャリアのうちのコンポーネントキャリアの第１部分以外のコンポーネントキャリアの残りの部分を含む。
【００７６】
本発明のこの実施形態では、第１マッピング関係は、リソース割当タイプ及びコンポーネントキャリアのうちのコンポーネントキャリアの第１部分の帯域幅に従って、コンポーネントキャリアの第１部分によって占有されるリソースブロックユニットを、コンポーネントキャリアの第１部分によって占有される物理リソースにマッピングすることによって取得されるマッピング関係である。新システムキャリアにおけるコンポーネントキャリアに対応するリソースブロックユニットと物理リソースとのマッピング関係は、標準コンポーネントキャリアに対応する、リソースブロックユニットと物理リソースとのマッピング関係と基本的に同じであると分かり得る。すなわち、同じリソースブロックユニット番号は、基本的に同じ物理リソース番号に対応する。したがって、新端末が新システムキャリアを使用してデータを送信するときに、従来端末も標準コンポーネントキャリアを使用してデータを送信することができる、すなわち、新システムキャリアが従来端末と互換性を有することを保証することができ、リソース利用を改善することができるようにする。
【００７７】
Ｓ２０３：基地局は、リソース割当情報を端末に送信する、ここで、リソース割当情報は、リソース割当タイプ及び基地局によって端末に割り当てられた第１リソースブロックユニットの指示情報を少なくとも含む。
【００７８】
本発明のこの実施形態では、第１物理リソースに対応する第１リソースブロックユニットを決定した後、基地局は、決定されたリソース割当タイプ及び基地局によって端末に割り当てられた第１リソースブロックユニットの指示情報を含むリソース割当情報を端末に送信する。第１リソースブロックユニットの指示情報は、端末に、基地局によって端末に割り当てられたリソースブロックユニットが第１リソースブロックユニットであることを端末に示すために使用され、端末は、第１リソースブロックユニットに従って、基地局によって端末に割り当てられた第１物理リソースについて知ることができるようにし、それゆえ、第１物理リソースは基地局と端末との間のデータ伝送に使用されることができる。リソース割当タイプは、端末に、基地局がリソースを端末に割り当てるときに使用されるリソース割当タイプを端末に示すために使用され、端末が、第１リソースブロックユニット、及びリソース割当タイプに対応する、リソースブロックユニットと物理リソースとのマッピング関係に従って、基地局によって端末に割り当てられた第１の物理リソースを決定するようにする。任意で、リソース割当情報は、ダウンリンク制御情報ＤＣＩとすることができ、他の制御情報において搬送され、端末に送信されることができる、又は独立した／専用の情報とすることができる。確かに、リソース割当情報は、代替的に別の方法で端末に送信されることができる。これは、本発明のこの実施形態では限定されない。
【００７９】
ダウンリンク制御情報（ＤＣＩ）を使用してリソース割当情報を端末に送信するときは、基地局は異なるＤＣＩフォーマットのＤＣＩを端末に送信することができる。異なるＤＣＩフォーマット（format）は、異なるリソース割当タイプを示すために使用される（例えば、ＤＣＩフォーマット１は、リソース割当タイプ０又はリソース割当タイプ１を示すために使用され、ＤＣＩフォーマット１Ａは、リソース割当タイプ２を示すために使用される）。例えば、リソース割当タイプがリソース割当タイプ０又はリソース割当タイプ１であるときは、基地局はＤＣＩフォーマット１を使用してリソース割当情報を端末に送信する。フォーマット１のＤＣＩは、第１リソースブロックユニットを示すために使用される第１フィールド及びリソース割当タイプ（例えば、リソース割当タイプ０又はリソース割当タイプ１）を示すために使用される第２フィールドを含む。任意で、第１フィールドは、リソースブロック割り当て（Resource  block  assignment）フィールドとすることができる。リソース割当タイプがリソース割当タイプ２であるときは、リソース割当タイプ２の場合のＶＲＢをＰＲＢにマッピングする方式が局所型ＶＲＢマッピング及び分散型ＶＲＢマッピングを含むため、リソース割当情報は、局所型ＶＲＢマッピング又は分散型ＶＲＢマッピングのマッピング方式情報をさらに含むことができる。任意で、基地局は、ＤＣＩフォーマット１Ａを使用してリソース割当情報を端末に送信することができる。フォーマット１ＡのＤＣＩは、第１リソースブロックユニットを示すために使用される第１フィールド及びマッピング方式情報（例えば、局所型ＶＲＢマッピング又は分散型ＶＲＢマッピング）を示すために使用される第２フィールドを含む。任意で、第１フィールドは、フォーマット１ＡのＤＣＩでの、連続するリソースのセグメント（すなわち、第１リソースブロックユニット）を示すために使用されるリソース指示値（略してＲＩＶ）フィールドとすることができる。既存の従来端末の場合、ＲＩＶ式では
（外１４）
0006595098.tif 000023
は、標準コンポーネントキャリアによって占有される複数のＲＢの数量である。拡張キャリアをサポートする新端末の場合、ＲＩＶ式では、
（外１５）
0006595098.tif 000024
は、新システムキャリアのうちのコンポーネントキャリア及び拡張キャリアによって占有される複数のＲＢの数量の合計である。
【００８０】
任意で、基地局が、端末に割り当てられる第１物理リソース及びリソース割当タイプを決定する前に、方法は、基地局によって、端末が新システムキャリアをサポートする端末であることを決定することをさらに含む。任意で、基地局は、端末によって報告された端末タイプ情報を使用して端末のタイプを決定する。例えば、端末は、新システムキャリアをサポートする端末又は標準コンポーネントキャリアをサポートする端末である。例えば、端末タイプ０〜１０は従来端末を示すように定義され、タイプ番号が１１以上の端末タイプは新システムキャリアをサポートする端末を示すように定義される。
【００８１】
以上の説明から、本発明のこの実施形態では、新システムキャリアに適用されるリソース割当方法が実装されることが分かり得る。新端末が新システムキャリアを使用してデータを送信するときに、従来端末も標準コンポーネントキャリアを使用してデータを送信することができる、すなわち、新システムキャリアが従来端末と互換性を有することを保証することができ、リソース利用を改善することができるようにする。
【００８２】
本発明のこの実施形態では、物理リソースは物理リソースブロックＰＲＢとすることができる。リソース割当タイプがリソース割当タイプ０又はリソース割当タイプ１である場合、リソースブロックユニットはリソースブロックグループＲＢＧであり、第１リソースブロックユニットは第１ＲＢＧである。対応して、リソースブロックユニットと物理リソースとのマッピング関係は、ＲＢＧとＰＲＢとのマッピング関係である。ＲＢＧとＰＲＢとのマッピング関係は、第１分割閾値に従って、コンポーネントキャリアのうちのコンポーネントキャリアの第１部分によって占有される複数のＰＲＢ（コンポーネントキャリアの第１部分によって占有される複数のＰＲＢの数量は、第１分割閾値の整数倍である）を少なくとも１つのＲＢＧに分けることによって取得される第１マッピング関係を含む。追加的に、コンポーネントキャリアのうちのコンポーネントキャリアの第１部分以外のコンポーネントキャリアの残りの部分によって占有される複数のＰＲＢの数量が第１分割閾値未満である場合、ＲＢＧとＰＲＢとのマッピング関係は、第１分割閾値に従って、拡張キャリア及びコンポーネントキャリアのうちのコンポーネントキャリアの第１部分以外のコンポーネントキャリアの残りの部分を含む第１拡張キャリアによって占有される複数のＰＲＢを少なくとも１つのＲＢＧに分けることによって取得される第２マッピング関係を含む。第１分割閾値は、コンポーネントキャリアの各ＲＢＧに含まれる複数のＰＲＢの数量である。第１分割閾値は、コンポーネントキャリアの帯域幅、及びＲＢＧとシステム帯域幅との関係に従って決定される。ＲＢＧとシステム帯域幅との関係は、システム帯域幅及びシステム帯域幅に対応するＲＢＧサイズとを含む。例えば、第１分割閾値（すなわち、ＲＢＧサイズＰ）は、新システムキャリアにおけるコンポーネントキャリアの帯域幅及び表１に従って決定されることができる。コンポーネントキャリアの帯域幅が５ＭＨｚである場合、第１分割閾値は２である。コンポーネントキャリアによって占有される複数のＰＲＢの数量が第１分割閾値の整数倍である場合、第１マッピング関係は、第１分割閾値に従って、コンポーネントキャリアによって占有される複数のＰＲＢを少なくとも１つのＲＢＧに分けることによって取得されるマッピング関係であることが理解され得る。この場合、コンポーネントキャリアの第１部分はコンポーネントキャリア全体である。対応して、第２マッピング関係は、第１分割閾値に従って、拡張キャリアによって占有される複数のＰＲＢを少なくとも１つのＲＢＧに分けることによって取得されるマッピング関係である。この実施形態の方法によれば、新システムキャリアにおけるコンポーネントキャリアに対応するＲＢＧとＰＲＢとのマッピング関係は、標準コンポーネントに対応するＲＢＧとＰＲＢとのマッピング関係と基本的に同じである。すなわち、同じＲＢＧ番号は、同じＰＲＢ番号に基本的に対応する。したがって、新端末が新システムキャリアを使用してデータを送信するときに、従来端末も標準コンポーネントキャリアを使用してデータを送信することができる、すなわち、新システムキャリアが従来端末と互換性を有することを保証することができ、リソース利用を改善することができるようにする。
【００８３】
第１マッピング関係及び第２マッピング関係が決定されるとき、同じ分割閾値又は異なる分割閾値を使用されることができると理解され得る。例えば、代替的に、第２マッピング関係が決定されるとき、拡張キャリア及びコンポーネントキャリアのうちのコンポーネントキャリアの第１部分以外のコンポーネントキャリアの残りの部分を含む第１拡張キャリアによって占有される複数のＰＲＢは、第２分割閾値に従って少なくとも１つのＲＢＧに分けることができる。第２分割閾値は、第１分割閾値とは異なり、第１拡張キャリアの帯域幅及びＲＢＧとシステム帯域幅との関係に従って決定される。具体的な分割方式は、第１分割閾値を使用して第２マッピング関係を決定する方式と同様である。詳細は、ここでは再度説明されない。
【００８４】
本発明のこの実施形態では、新システムキャリアが８ＭＨｚであり、第１物理リソースが第１ＰＲＢであり、リソースブロックユニットと物理リソースとのマッピング関係がリソースブロックユニットとＰＲＢとのマッピング関係である例を用いて詳細な説明が提供される。コンポーネントキャリアの帯域幅は５ＭＨｚである。図２Ｂ−１及び図２Ｂ−２は、従来端末に対するＲＢＧ分割と新端末に対するＲＢＧ分割の概略図２である。第１分割閾値（ＲＢＧサイズＰ）が計算されるとき、
（外１６）
0006595098.tif 000025
，Ｐ＝２と仮定する。第１マッピング関係（例えば、図２Ｂ−１及び図２Ｂ−２の新端末に対するＲＧＢ分割におけるＰＲＢ０〜ＰＲＢ２３とＲＢＧ０〜ＲＢＧ１１とのマッピング関係）は、第１分割閾値に従って、コンポーネントキャリアのうちのコンポーネントキャリアの第１部分によって占有される複数のＰＲＢ（例えば、図２Ｂ−１及び図２Ｂ−２の新端末に対するＲＢＧ分割におけるＰＲＢ０〜ＰＲＢ２３）を少なくとも１つのＲＢＧに分けることによって取得される。図２Ｂ−１及び図２Ｂ−２に示されるように、コンポーネントキャリアのうちのコンポーネントキャリアの第１部分以外のコンポーネントキャリアの残りの部分によって占有される複数のＰＲＢ（例えば、図２Ｂ−２の新端末に対するＲＢＧ分割におけるＰＲＢ２４）の数量は、第１分割閾値（Ｐ＝２）未満であり、第２マッピング関係（例えば、図２Ｂ−１及び図２Ｂ−２に示すＰＲＢ２４〜ＰＲＢ３９とＲＢＧ１２〜ＲＢＧ１９とのマッピング関係）は、第１分割閾値に従って、拡張キャリア及びコンポーネントキャリアのうちのコンポーネントキャリアの第１部分以外のコンポーネントキャリアの残りの部分を含む第１拡張キャリアによって占められる複数のＰＲＢ（例えば、図２Ｂ−１及び図２Ｂ−２の新端末に対するＲＢＧ分割におけるＰＲＢ２４〜ＰＲＢ３９）を少なくとも１つのＲＢＧに分けることによって取得される。第１マッピング関係及び第２マッピング関係は、ＲＢＧとＰＲＢとのマッピング関係に含まれる。新システムキャリアにおけるコンポーネントキャリアのうちのコンポーネントキャリアの第１部分に対応する、ＲＢＧとＰＲＢとのマッピング関係（例えば、図２Ｂ−１及び図２Ｂ−２の新端末に対するＲＢＧ分割におけるＰＲＢ０〜ＰＲＢ２３とＲＢＧ０〜ＲＢＧ１１とのマッピング関係）は、標準コンポーネントキャリアに対応する、ＲＢＧとＰＲＢとのマッピング関係（例えば、図２Ｂ−１及び図２Ｂ−２の従来端末に対するＲＢＧ分割におけるＰＲＢ０〜ＰＲＢ２３とＲＢＧ０〜ＲＢＧ１１とのマッピング関係）と同じである。
【００８５】
対応して、基地局は、リソース割当タイプ、及びリソースブロックユニットと物理リソースとのマッピング関係に従って、第１物理リソースに対応する第１リソースブロックユニットを決定し、以下のステップを含む：
基地局は、リソース割当タイプ（例えば、リソース割当タイプ０又はリソース割当タイプ１）に従って、リソースブロックユニットとＰＲＢとのマッピング関係が、ＲＢＧとＰＲＢとのマッピング関係であると決定する。さらに、基地局は、ＲＢＧとＰＲＢのマッピング関係に従って、第１ＰＲＢに対応する第１ＲＢＧを決定し、第１ＲＢＧの指示情報を含むリソース割当情報を端末に送信するようにする。第１ＰＲＢが図２Ｂ−２のＰＲＢ１８である場合、基地局は、ＲＢＧとＰＲＢとのマッピング関係に従って、ＰＲＢ１８に対応する第１ＲＢＧがＲＢＧ９であると決定する。本発明のこの実施形態では、新システムキャリアに適用されるリソース割当方法が実装されることが分かり得る。新システムキャリアを使用して新端末がデータを送信するときに、従来端末も標準コンポーネントキャリアを使用してデータを送信することができる、すなわち、新システムキャリアが従来端末と互換性を有することを保証することができ、リソース利用を改善することができるようにする。
【００８６】
任意で、リソースブロックユニットが仮想リソースブロックＶＲＢであり、第１リソースブロックユニットが第１ＶＲＢである場合、第１マッピング関係は、コンポーネントキャリアによって占有される複数のＶＲＢのうち、インタリーブに関与する複数のＶＲＢを、分散型ＶＲＢマッピング方式でコンポーネントキャリアによって占有される物理リソースにマッピングすることによって取得されるマッピング関係であり、ここで、インタリーブに関与する複数のＶＲＢは、コンポーネントキャリアの第１部分によって占有される複数のＶＲＢであり、第２マッピング関係は、拡張キャリアによって占有されるＶＲＢ、及びコンポーネントキャリアによって占有される複数のＶＲＢのうち、インタリーブに関与しないＶＲＢを、分散型ＶＲＢマッピング方式で拡張キャリアによって占有される物理リソース及びコンポーネントキャリアによって占有される物理リソースのうちの残りの物理リソースにマッピングすることによって取得されるマッピング関係であり、ここで、インタリーブに関与しないＶＲＢ及び拡張キャリアによって占有されるＶＲＢは、第１拡張キャリアによって占有される複数のＶＲＢである。例えば、リソース割当タイプがリソース割当タイプ２であり、マッピング方式が分散型ＶＲＢマッピング方式である場合、リソースブロックユニットと物理リソースとのマッピング関係は、ＶＲＢと物理リソースとのマッピング関係である。第１マッピング関係及び第２マッピング関係は、前述の方法で取得されることができる。コンポーネントキャリアによって占有され、インタリーブに関与する複数のＶＲＢのうちの複数のＶＲＢの数量は、コンポーネントキャリアによって占有される複数のＶＲＢの数量に等しくてよいと理解され得る。この場合、第１マッピング関係は、分散型ＶＲＢマッピング方式で、コンポーネントキャリアによって占有される複数のＶＲＢを、コンポーネントキャリアによって占有される物理リソースにマッピングすることによって取得されるマッピング関係である。対応して、第２マッピング関係は、分散ＶＲＢマッピング方式で、拡張キャリアによって占有されるＶＲＢを、拡張キャリアによって占有される物理リソースにマッピングすることによって取得されるマッピング関係である。
【００８７】
この実施形態における方法では、ＶＲＢと新システムキャリアにおけるコンポーネントキャリアに対応する物理リソースとのマッピング関係は、基本的にＶＲＢと標準コンポーネントキャリアに対応する物理リソースとのマッピング関係と同じである。すなわち、同じＶＲＢ番号は基本的に同じ物理リソース番号に対応する。したがって、新端末が新システムキャリアを使用してデータを送信するときに、従来端末も標準コンポーネントキャリアを使用してデータを送信することができる、すなわち、新システムキャリアが従来端末と互換性を有することを保証することができ、リソース利用を改善することができるようにする。
【００８８】
任意で、第１マッピング関係は、以下の方式：
コンポーネントキャリアの帯域幅に従って第１ＲＢギャップを決定することであって、第１ＲＢギャップは、コンポーネントキャリアによって占有される同じＶＲＢが同じサブフレームの２つの異なるタイムスロットにおいてマッピングされる複数のＰＲＢ間のギャップの値である、決定することと；
コンポーネントキャリアの帯域幅及び第１ＲＢギャップに従って、コンポーネントキャリアによって占有される複数のＶＲＢのうち、インタリーブに関与する複数のＶＲＢの数量を決定することと；
分散型ＶＲＢマッピング方式で、インタリーブに関与する複数のＶＲＢをコンポーネントキャリアによって占有される複数のＰＲＢにマッピングすること；により取得される。
【００８９】
本実施形態のこの実施形態では、物理リソースがＰＲＢであり、第１物理リソースが第１ＰＲＢである例を使用して詳細な説明が提供される。第１マッピング関係は、以下のステップ：新システムキャリアにおけるコンポーネントキャリアの帯域幅及び本発明の前述の実施形態における表３に従って、第１ＲＢギャップ（例えば、ギャップ１）を決定することであって、第１ＲＢギャップは、コンポーネントキャリアによって占有される同じＶＲＢが、同じサブフレームの２つの異なるタイムスロット（タイムスロット０及びタイムスロット１）にマッピングされる複数のＰＲＢ間のギャップの値であり、例えば、ＶＲＢ０がタイムスロット０のうちのＰＲＢ０にマッピングされる場合、ＶＲＢ０はタイムスロット１のうちのＰＲＢ（０＋ｇａｐ１）にマッピングされる、決定することと；さらに、コンポーネントキャリアの帯域幅及び第１ＲＢギャップに従って、並びに本発明の前述の実施形態における「インタリーブに関与する複数のＶＲＢの数量
（外１７）
0006595098.tif 000026
を決定する方式」
（外１８）
0006595098.tif 000027
は、新システムキャリにおけるコンポーネントキャリアに含まれる複数のＲＢの数量）についての部分に従って、コンポーネントキャリアによって占有される複数のＶＲＢのうち、インタリーブに関与する複数のＶＲＢの数量を決定することであって、計算方式の詳細はここでは再度説明されない、決定することと；さらに、分散型ＶＲＢマッピング方式で、インターリービングに関与する複数のＶＲＢをコンポーネントキャリアによって占有されている複数のＰＲＢにマッピングすること；により取得されるマッピング関係である。コンポーネントキャリアによって占有される複数のＶＲＢのうち、インタリーブに関与する複数のＶＲＢの決定された数量が、コンポーネントキャリアによって占有される複数のＶＲＢの数量と等しい場合、分散型ＶＲＢマッピングがコンポーネントキャリアによって占有されるすべてのＶＲＢについて実行されると理解され得る。
【００９０】
任意で、第２マッピング関係は、以下の方式：
第１拡張キャリアの帯域幅に従って第２ＲＢギャップを決定することであって、第１拡張キャリアの帯域幅は、第１拡張キャリアによって占有される複数のＶＲＢに対応する帯域幅であり、第２ＲＢギャップは、第１拡張キャリアによって占有される同じＶＲＢが同じサブフレームの２つの異なるタイムスロットにおいてマッピングされる複数のＰＲＢ間のギャップの値である、決定することと；
第１拡張キャリアの帯域幅及び第２ＲＢギャップに従って、第１拡張キャリアによって占有される複数のＶＲＢのうち、インタリーブに関与する複数のＶＲＢの数量を決定することと；
インタリーブに関与する複数のＶＲＢについて分散型ＶＲＢマッピングを実行し、第１拡張キャリアによって占有される複数のＶＲＢのうち、インタリーブに関与しないＶＲＢについて局所型ＶＲＢマッピングを実行すること；により取得される。
【００９１】
本発明のこの実施形態では、第２マッピング関係は、代替的には、以下のステップ：第１拡張キャリアの帯域幅及び本発明の前述の実施形態における表３に従って、第２ＲＢギャップ（例えば、ギャップ２）を決定することであって、第１拡張キャリアの帯域幅は、第１拡張キャリアによって占有される複数のＶＲＢ（コンポーネントキャリアによって占有される複数のＶＲＢのうち、インタリーブに関与しないＶＲＢ及び拡張キャリアによって占有されるＶＲＢは、第１拡張キャリアによって占有される複数のＶＲＢである）に対応する帯域幅であり、第２ＲＢギャップは、第１拡張キャリアによって占有される同じＶＲＢが同じサブフレームの２つの異なるタイムスロット（例えば、タイムスロット０及びタイムスロット１）においてマッピングされる複数のＰＲＢ間のギャップの値である、決定することと；さらに、第１拡張キャリアの帯域幅及び第２ＲＢギャップに従って、並びに本発明の前述の実施形態における「インタリーブに関与する複数のＶＲＢの数量
（外１９）
0006595098.tif 000028
を決定する方式」（
（外２０）
0006595098.tif 000029
は、第１拡張キャリアによって占有される複数のＲＢの数量、すなわち、コンポーネントキャリアによって占有される複数のＶＲＢのうち、インタリーブに関与しない複数のＶＲＢの数量及び拡張キャリアによって占有される複数のＶＲＢの数量の合計）についての部分に従って、第１拡張キャリアによって占有される複数のＶＲＢのうち、インタリーブに関与する複数のＶＲＢの数量を決定することであって、計算方式の詳細はここでは再度説明されない、決定することと；さらに、インタリーブに関与する複数のＶＲＢについて分散型ＶＲＢマッピングを実行し、第１拡張キャリアによって占有される複数のＶＲＢのうち、インタリーブに関与しないＶＲＢについて局所型ＶＲＢマッピングを実行することであって、第１拡張キャリアによって占有される各ＶＲＢは、同じサブフレームのタイムスロット０及びタイムスロット１において異なる複数のＰＲＢにマッピングされ、異なる２つのＰＲＢ間にはギャップ２がある、実行すること；に従って取得されるマッピング関係である。
【００９２】
本発明のこの本実施形態では、新システムキャリアが８ＭＨｚであり、第１物理リソースが第１ＰＲＢであり、リソースブロックユニットと物理リソースとのマッピング関係がリソースブロックユニットとＰＲＢとのマッピング関係である例を使用して詳細な説明が提供される。コンポーネントキャリアの帯域幅は５ＭＨｚである。図２Ｃ−１及び図２Ｃ−２は、分散型リソース割り当ての概略図２である。ギャップ１、ＲＢＧサイズＰ、及び新システムキャリアにおけるコンポーネントキャリアによって占有される複数のＶＲＢのうち、インタリーブに関与する複数のＶＲＢの数量が計算されるときは、
（外２１）
0006595098.tif 000030
，Ｐ＝２と仮定される。第１マッピング関係は、以下のステップ：コンポーネントキャリアの帯域幅（
（外２２）
0006595098.tif 000031
）及び本発明の前述の実施形態の表３に従って、ギャップ１＝１２であると決定することと；さらに、コンポーネントキャリアの帯域幅及びギャップ１に従って、コンポーネントキャリアによって占有される複数のＶＲＢのうち、インタリーブに関与する複数のＶＲＢの数量が２４であると決定することと；さらに、分散型ＶＲＢマッピング方式で、インタリーブに関与する複数のＶＲＢをコンポーネントキャリアにより占有される複数のＰＲＢ（例えば、図２Ｃ−１及び図２Ｃ−２のＰＲＢ０〜ＰＲＢ２３）にマッピングすること；に従って取得されるマッピング関係である。具体的には、分散型ＶＲＢマッピングは、既存の分散型ＶＲＢマッピング処理と同様であり、詳細はここでは再度説明されない。コンポーネントキャリアによって占有される複数のＶＲＢのうち、インタリーブに関与しない１つのＶＲＢに対して、ギャップ２、ＲＢＧサイズＰ、及び第１拡張キャリアによって占有される複数のＶＲＢのうち、インタリーブに関与する複数のＶＲＢの数量が計算されるときは、
（外２３）
0006595098.tif 000032
，Ｐ＝２と仮定される。第２マッピング関係は、以下のステップ：第１拡張キャリアの帯域幅（
（外２４）
0006595098.tif 000033
）及び本発明の前述の実施形態の表３に従って、ギャップ２＝８であると決定することと；さらに、第１拡張キャリアの帯域幅及びギャップ２に従って、第１拡張キャリアによって占有されるＶＲＢのうち、インタリーブに関与する複数のＶＲＢのうちの複数のＶＲＢの数量が１６である（すなわち、分散型ＶＲＢマッピングは第１拡張キャリアによって占有されるすべてのＶＲＢについて実行される）と決定することと；さらに、分散型マッピング方式で、インタリーブに関与する複数のＶＲＢを、コンポーネントキャリアにより占有される複数のＰＲＢのうちの残りのＰＲＢ及び拡張キャリアにより占有される複数のＰＲＢ（例えば、図２Ｃ−１及び図２Ｃ−２のＰＲＢ２４〜ＰＲＢ３９）にマッピングすること；に従って取得されるマッピング関係である。具体的には、分散型ＶＲＢマッピングは、既存の分散型ＶＲＢマッピング処理と同様であり、詳細はここでは再度説明されない。第１マッピング関係と第２マッピング関係は、ＶＲＢとＰＲＢとのマッピング関係に含まれる。ＰＲＢと、新システムキャリアにおいてコンポーネントキャリアによって占有される複数のＶＲＢのうち、インタリーブに関与するＶＲＢとのマッピング関係（例えば、図２Ｃ−１及び図２Ｃ−２のＰＲＢ０〜ＰＲＢ２３とＶＲＢ０〜ＶＲＢ２３とのマッピング関係）は、標準コンポーネントキャリアに対応するＰＲＢとＶＲＢとのマッピング関係と同じである。
【００９３】
対応して、基地局が、リソース割当タイプ、及びリソースブロックユニットと物理リソースとのマッピング関係に従って、第１物理リソースに対応する第１リソースブロックユニットを決定することは以下のステップを含む。
【００９４】
基地局は、リソース割当タイプ（例えば、リソース割当タイプがリソース割当タイプ２であり、マッピング方式が分散型ＶＲＢマッピングである）に従って、リソースブロックユニットとＰＲＢとのマッピング関係が、ＶＲＢとＰＲＢとのマッピング関係であると決定する。さらに、基地局は、ＶＲＢとＰＲＢとのマッピング関係に従って、第１ＰＲＢに対応する第１ＶＲＢを決定して、第１ＶＲＢの指示情報を含むリソース割当情報を端末に送信するようにする。第１ＰＲＢが図２Ｃ−２のＰＲＢ１８である場合、基地局は、ＶＲＢとＰＲＢとのマッピング関係に従って、ＰＲＢ１８に対応する第１ＶＲＢが（タイムスロット０における）ＶＲＢ３であると決定する。本発明のこの実施形態では、新システムキャリアに適用されるリソース割当方法が実装されると分かり得る。さらに、新システムキャリアにおけるコンポーネントキャリアに対応するＶＲＢとＰＲＢとのマッピング関係は、基本的に標準コンポーネントキャリアに対応するＶＲＢとＰＲＢとのマッピング関係と同じである、すなわち、同じＶＲＢ番号は基本的に同じＰＲＢ番号に対応している。したがって、新端末が新システムキャリアを使用してデータを送信するときは、従来端末も標準コンポーネントキャリアを使用してデータを送信することができる、すなわち、新システムキャリアが従来端末と互換性を有することをさらに保証することができ、リソース利用を改善することができるようにする。
【００９５】
図３は、本発明によるリソース割当方法の実施例２の概略フローチャートである。この実施形態における解決手段は、新システムキャリアに適用することができる。新システムキャリアは、コンポーネントキャリア（すなわち、標準コンポーネントキャリア）及び拡張キャリアを含む。この実施形態では、本発明の実施形態１に基づく端末側について詳細な説明を行う。図３に示すように、この実施形態における方法は、以下のステップを含むことができる：
Ｓ３０１：端末は、基地局によって送信されたリソース割当情報を受信する、ここで、端末は、新システムキャリアをサポートし、新システムキャリアは、コンポーネントキャリア及び拡張キャリアを含み、リソース割当情報は、リソース割当タイプ及び基地局によって端末に割り当てられた第１リソースブロックユニットの指示情報を含む。
【００９６】
本発明のこの実施形態では、端末は、基地局によって送信され、リソース割り当てタイプ、及び基地局によって端末に割り当てられた第１リソースブロックユニットの指示情報を含むリソース割当情報を受信する。第１リソースブロックユニットは、基地局によって端末に割り当てられた第１物理リソースに対応し、リソースブロックユニットと物理リソースとのマッピング関係及び基地局によって決定され端末に割り当てられたリソース割当タイプに従って、基地局によって決定されたリソースブロックユニットである。基地局が第１リソースブロックユニットを決定する具体的な方法については、本発明の第１実施形態を参照されたい。詳細はここでは再度説明されない。任意で、本発明のこの実施形態では、物理リソースはＰＲＢとすることができる。対応して、第１物理リソースは第１ＰＲＢとすることができ、リソースブロックユニットと物理リソースとのマッピング関係は、リソースブロックユニットとＰＲＢとのマッピング関係である。確かに、物理リソースは、代替的に、別の形態の物理リソースとすることができる。これは、本発明のこの実施形態では限定されない。
【００９７】
任意で、第１リソースブロックユニットの指示情報は、基地局によって端末に割り当てられたリソースブロックユニットが第１リソースブロックユニットであることを端末に示すために使用される。
【００９８】
任意で、リソース割当タイプは、基地局がリソースを端末に割り当てるときに使用されるリソース割当タイプを端末に示すために使用され、端末が、第１リソースブロックユニット、及びリソース割当タイプに対応する、リソースブロックユニットと物理リソースとのマッピング関係に従って、基地局によって端末に割り当てられる第１物理リソースを決定するようにする、すなわち、第１物理リソースは、基地局と端末との間のデータ伝送のために使用することができる。例えば、リソース割当タイプは、以下のタイプのいずれか１つを含むことができる：リソース割当タイプ０、リソース割当タイプ１、又はリソース割当タイプ２である。
【００９９】
任意で、各リソース割当タイプに対応する、リソースブロックユニットと物理リソースとのマッピング関係は、端末において事前に設定され得る。代替的には、端末は、基地局によって割り当てられたリソースを受信する前に、各リソース割当タイプに対応する、リソースブロックユニットと物理リソースとのマッピング関係を決定してよい。具体的には、端末は、リソース割り当てタイプ及びコンポーネントキャリアのうちのコンポーネントキャリアの第１部分の帯域幅に従って、コンポーネントキャリアの第１部分によって占有されるリソースブロックユニットをコンポーネントキャリの第１部分によって占有される物理リソースにマッピングすることによって、第１のマッピング関係を取得し、基地局は、リソース割り当てタイプに従って、第１拡張キャリアによって占有されるリソースブロックユニットを第１拡張キャリアによって占有される物理リソースにマッピングすることによって、第２のマッピング関係を取得する、ここで、第１拡張キャリアは、拡張キャリア及びコンポーネントキャリアのうちのコンポーネントキャリアの第１部分以外のコンポーネントキャリアの残りの部分を含む。
【０１００】
任意で、リソース割当情報は、ダウンリンク制御情報ＤＣＩとすることができ、他の制御情報内で搬送されることができ、又は、独立した／専用の情報とすることができる。確かに、端末は、代替的に、別の方式で、基地局によって送信されたリソース割当情報を受信することができる。これは、本発明のこの実施形態では限定されない。
【０１０１】
リソース割り当て情報がダウンリンク制御情報（ＤＣＩ）を使用して端末に送信されるとき、端末は、基地局によって送信される異なるフォーマットでＤＣＩを受信することができる。異なるＤＣＩフォーマット（format）は、異なるリソース割当タイプを示すために使用される（例えば、ＤＣＩフォーマット１がリソース割当タイプ０又はリソース割当タイプ１を示すために使用され、ＤＣＩフォーマット１Ａがリソース割当タイプ２を示すために使用される）。例えば、リソース割当タイプがリソース割当タイプ０又はリソース割当タイプ１であるとき、端末は、基地局によって送信されたフォーマット１のＤＣＩを受信することができる。フォーマット１のＤＣＩは、第１のリソースブロックユニットを示すために使用される第１のフィールド及びリソース割当タイプ（例えば、リソース割当タイプ０又はリソース割当タイプ１）を示すために使用される第２のフィールドを含む。任意で、第１フィールドは、リソースブロック割当フィールドとすることができる。リソース割当タイプがリソース割当タイプ２であるときは、リソース割当タイプ２の場合のＶＲＢをＰＲＢにマッピングする方式が局所型ＶＲＢマッピング及び分散型ＶＲＢマッピングを含むため、リソース割当情報は、局所型ＶＲＢマッピング又は分散型ＶＲＢマッピングのマッピング方式情報をさらに含むことができる。任意で、端末は、基地局によって送信されたフォーマット１ＡのＤＣＩを受信することができる。ＤＣＩフォーマット１Ａは、第１リソースブロックユニットを示すために使用される第１フィールド及びマッピング方式情報（例えば、局所型ＶＲＢマッピング又は分散型ＶＲＢマッピング）を示すために使用される第２フィールドを含む。任意で、第１フィールドは、フォーマット１ＡのＤＣＩでの、連続するリソースのセグメント（すなわち、第１リソースブロックユニット）を示すために使用されるＲＩＶフィールドとすることができる。既存の従来の端末の場合、ＲＩＶ式での、
（外２５）
0006595098.tif 000034
は、標準コンポーネントキャリアによって占有される複数のＲＢの数量である。拡張キャリアをサポートする新しい端末の場合、ＲＩＶの式での、
（外２６）
0006595098.tif 000035
は、新しいシステムキャリアにおけるコンポーネントキャリア及び拡張キャリアによって占有される複数のＲＢの数量の合計である。
【０１０２】
Ｓ３０２：端末は、リソース割当情報及びリソースブロックユニットと物理リソースとのマッピング関係に従って、基地局によって端末に割り当てられた第１リソースブロックユニットに対応する第１物理リソースを決定する。
【０１０３】
リソースブロックユニットと物理リソースとのマッピング関係は、第１マッピング関係と第２マッピング関係とを含む。第１マッピング関係は、リソース割当タイプ及びコンポーネントキャリアのうちのコンポーネントキャリアの第１部分の帯域幅に従って、コンポーネントキャリアの第１部分に占有されるリソースブロックユニットをコンポーネントキャリアの第１部分によって占有される物理リソースにマッピングすることによって取得されるマッピング関係である。第２マッピング関係は、リソース割当タイプに従って、第１拡張キャリアによって占有されるリソースブロックユニットを第１拡張キャリアによって占有される物理リソースにマッピングすることによって得られるマッピング関係であり、ここで、第１拡張キャリアは、拡張キャリア及びコンポーネントキャリアのうちのコンポーネントキャリアの第１部分以外のコンポーネントキャリアの残りの部分を含む。コンポーネントキャリアのうちのコンポーネントキャリアの第１部分以外のコンポーネントキャリアの残りの部分はゼロとすることができる、すなわち、コンポーネントキャリアの第１部分はコンポーネントキャリア全体であると理解され得る。この場合、第１マッピング関係は、リソース割当タイプ及びコンポーネントキャリアの帯域幅に従って、コンポーネントキャリアによって占有されるリソースブロックユニットをコンポーネントキャリアによって占有される物理リソースにマッピングすることによって取得されるマッピング関係である。対応して、第２マッピング関係は、リソース割当タイプに従って、拡張キャリアによって占有されるリソースブロックユニットを拡張キャリアによって占有される物理リソースにマッピングすることよって取得されるマッピング関係である。
【０１０４】
ここでは、リソースブロックユニットと物理リソースとのマッピング関係、第１マッピング関係、及び第２マッピング関係の説明については、前述の実施形態における関連部分を参照されたい。詳細はここでは再度説明されない。
【０１０５】
本発明のこの実施形態では、端末は、リソース割当情報に含まれる第１リソースブロックユニット、及びリソース割当タイプに対応する、リソースブロックユニットと物理リソースとのマッピング関係に従って、基地局によって端末に割り当てられた第１リソースブロックユニットに対応する第１物理リソースを決定して、第１物理リソースを基地局と端末との間のデータ伝送に使用することができる。
【０１０６】
本発明のこの実施形態では、第１マッピング関係は、リソース割当タイプ及びコンポーネントキャリアのうちのコンポーネントキャリアの第１部分の帯域幅に従って、コンポーネントキャリアのうちのコンポーネントキャリアの第１部分によって占有されるリソースブロックユニットをコンポーネントキャリアの第１部分によって占有されている物理リソースにマッピングすることによって取得されるマッピング関係である。新システムキャリアにおけるコンポーネントキャリアに対応するリソースブロックユニットと物理リソースとのマッピング関係は、基本的に標準コンポーネントに対応するリソースブロックユニットと物理リソースとのマッピング関係と同じであると分かることができる。すなわち、同じリソースブロックユニット番号は基本的に同じ物理リソース番号に対応する。したがって、新端末が新システムキャリアを使用してデータを送信するときに、従来端末も標準コンポーネントキャリアを使用してデータを送信することができる、すなわち、新システムキャリアが従来端末と互換性があることを保証することができ、リソース利用を改善することができる。
【０１０７】
上述の説明から、本発明のこの実施形態において、新システムキャリアに適用されるリソース割当方法が実装されると分かることができる。新端末が新システムキャリアを使用してデータを送信するときに、従来端末も標準コンポーネントキャリアを使用してデータを送信することができる、すなわち、新システムキャリアが従来端末と互換性を有することを保証することができ、リソース利用を改善することができるようにする。
【０１０８】
本発明のこの実施形態では、第１物理リソースが第１ＰＲＢであり、リソースブロックユニットと物理リソースとのマッピング関係が、リソースブロックユニットとＰＲＢとのマッピング関係である例を使用して詳細な説明を提供する。
【０１０９】
リソース割当タイプがリソース割当タイプ０又はリソース割当タイプ１である場合、リソースブロックユニットはリソースブロックグループＲＢＧであり、第１リソースブロックユニットは第１ＲＢＧである。対応して、端末が、リソース割当情報及びリソースブロックユニットと物理リソースとのマッピング関係に従って、基地局によって端末に割り当てられた第１リソースブロックユニットに対応する第１物理リソースを決定することは、端末が、第１リソースブロックユニットの指示情報、及びリソース割当タイプに対応する、リソースブロックユニットとＰＲＢとのマッピング関係に従って、第１ＰＲＢを決定することを含む。端末がリソース割当タイプ（例えば、リソース割当タイプ０又はリソース割当タイプ１）に従って、リソースブロックユニットとＰＲＢとのマッピング関係が、ＲＢＧとＰＲＢとのマッピング関係（例えば、図２Ｂ−１及び図２Ｂ−２に示す新規端末に対するＲＢＧ分割後に取得されるマッピング関係）であると決定する場合、端末は、ＲＢＧとＰＲＢとのマッピング関係及び第１ＲＢＧ（例えば、ＲＢＧ９）に従って、第１ＲＢＧに対応する第１ＰＲＢを決定し、第１ＰＲＢを使用してデータを基地局に送信するようにする。
【０１１０】
代替的には、リソース割当タイプがリソース割当タイプ２である場合、リソースブロックユニットは仮想リソースブロックＶＲＢであり、第１リソースブロックユニットは第１ＶＲＢである。対応して、リソース割当情報はマッピング方式情報をさらに含む。端末が、リソース割当情報及びリソースブロックユニットと物理リソースとのマッピング関係に従って、基地局によって端末に割り当てられた第１リソースブロックユニットに対応する第１物理リソースを決定することは、端末が、第１リソースブロックユニットの指示情報、及びリソース割当タイプとマッピング方式情報の両方に対応する、第１ＰＲＢとリソースブロックユニットとＰＲＢとのマッピング関係に従って、第１ＰＲＢを決定する。端末が、リソース割当タイプ（例えば、リソース割当タイプがリソース割当タイプ２であり、マッピング方式が分散型ＶＲＢマッピングである）に従って、リソースブロックユニットとＰＲＢとのマッピング関係がＶＲＢとＰＲＢとのマッピング関係（図２Ｃ−１及び図２Ｃ−２に示すように）であると決定する場合、端末は、ＶＲＢとＰＲＢとのマッピング関係及び第１ＶＲＢ（例えば、ＶＲＢ３）に従って、第１ＶＲＢに対応する第１ＰＲＢ（例えば、ＰＲＢ１８）を決定して、第１ＰＲＢを使用してデータを基地局に送信するようにする。
【０１１１】
任意で、本発明のこの実施形態では、端末が基地局によって送信されたリソース割当情報を受信する前に、この方法は、端末によって端末タイプ情報を基地局に送信して、基地局が、端末によって報告された端末タイプ情報に従って、端末が新システムキャリアをサポートする端末であるかどうかを決定するようにすることをさらに含む。
【０１１２】
図４は、本発明の一実施形態による基地局の概略構造図である。図４に示すように、この実施形態で提供される基地局４０は、新システムキャリアをサポートすることができる。新システムキャリアは、コンポーネントキャリア及び拡張キャリアを含む。基地局は、第１決定モジュール４０１、第２決定モジュール４０２及び送信モジュール４０３を含むことができる。
【０１１３】
第１決定モジュール４０１は、端末に割り当てられる第１物理リソース及びリソース割当タイプを決定するように構成される。端末は、新システムキャリアをサポートし、新システムキャリアはコンポーネントキャリア及び拡張キャリアを含む。
【０１１４】
第２決定モジュール４０２は、リソース割当タイプ及びリソースブロックユニットと物理リソースとのマッピング関係に従って、第１物理リソースに対応する第１リソースブロックユニットを決定するように構成される。リソースブロックユニットは、基地局がリソースを基地局に割り当てるリソース割当粒度である。リソースブロックユニットと物理リソースとのマッピング関係は、第１マッピング関係及び第２マッピング関係を含む。第１マッピング関係は、リソース割当タイプ及びコンポーネントキャリアのうちのコンポーネントキャリアの第１部分の帯域幅に従って、コンポーネントキャリアの第１部分によって占有されるリソースブロックユニットをコンポーネントキャリアの第１部分によって占有される物理リソースにマッピングすることによって取得されるマッピング関係である。第２マッピング関係は、リソース割当タイプに従って、第１拡張キャリアによって占有されるリソースブロックユニットを第１拡張キャリアによって占有される物理リソースにマッピングすることによって取得されるマッピング関係であり、ここで、第１拡張キャリアは、拡張キャリア及びコンポーネントキャリアのうちのコンポーネントキャリアの第１部分以外のコンポーネントキャリアの残りの部分を含む。
【０１１５】
送信モジュール４０３は、リソース割当情報を端末に送信するように構成される。リソース割当情報は、リソース割当タイプ及び基地局によって端末に割り当てられた第１リソースブロックユニットの指示情報を含む。
【０１１６】
任意で、物理リソースは物理リソースブロックＰＲＢである。リソース割当タイプがリソース割当タイプ０又はリソース割当タイプ１である場合、リソースブロックユニットはリソースブロックグループＲＢＧであり、第１リソースブロックユニットは第１ＲＢＧである。
【０１１７】
リソース割当タイプがリソース割当タイプ２である場合、リソースブロックユニットは仮想リソースブロックＶＲＢであり、第１リソースブロックユニットは第１ＶＲＢである。対応して、リソース割当情報はマッピング方式情報をさらに含む。
【０１１８】
任意で、リソース割当情報は、ダウンリンク制御情報ＤＣＩである。
【０１１９】
任意で、基地局は、記憶モジュールをさらに含み、記憶モジュールは、リソースブロックユニットと物理リソースとのマッピング関係を記憶するように構成される。
【０１２０】
任意で、基地局は、端末が新システムキャリアをサポートする端末であることを決定するように構成された識別モジュールをさらに含む。
【０１２１】
リソースブロックユニットと物理リソースとのマッピング関係、第１マッピング関係及び第２マッピング関係の説明については、前述の実施形態における関連部分を参照すると理解され得る。詳細はここでは再度説明されない。物理リソースはＰＲＢとすることができる。
【０１２２】
この実施形態における基地局は、本発明におけるリソース割当方法の実施形態１における技術的解決手段を実行するように構成することができる。実装原理及びその技術的効果は、実施の形態１のものと同様であり、ここでは説明しない。
【０１２３】
図５は、本発明の別の実施形態による基地局の概略構造図である。この実施形態で提供される基地局は、新システムキャリアをサポートする。新システムキャリアは、コンポーネントキャリア及び拡張キャリアを含む。図５に示すように、この実施形態で提供される基地局５０は、プロセッサ５０１及びメモリ５０２を含むことができる。基地局５０は、送信機５０３及び受信機５０４をさらに含むことができる。送信機５０３及び受信機５０４は、プロセッサ５０１に接続されることができる。送信機５０３は、リソース割当情報を端末に送信するように構成される。リソース割当情報は、リソース割当タイプ及び基地局によって端末に割り当てられた第１リソースブロックユニットの指示情報を含む。受信機５０４は、データ又は情報を受信するように構成される。メモリ５０２は、リソースブロックユニットと物理リソースとのマッピング関係及び実行命令を記憶するように構成される。基地局５０が動作するときは、プロセッサ５０１はメモリ５０２と通信し、プロセッサ５０１はメモリ５０２の実行命令を呼び出して以下の動作を実行する：
端末に割り当てられる第１物理リソース及びリソース割当タイプを決定する、ここで、端末は新システムキャリアをサポートし、新システムキャリアはコンポーネントキャリア及び拡張キャリアを含む；
リソース割当タイプ、及びリソースブロックユニットと物理リソースとのマッピング関係に従って、第１物理リソースに対応する第１リソースブロックユニットを決定する、ここで、リソースブロックユニットは、基地局がリソースを端末に割り当てる割当粒度であり、リソースブロックユニットと物理リソースとのマッピング関係は、第１マッピング関係及び第２マッピング関係を含み、第１マッピング関係は、リソース割当タイプ及びコンポーネントキャリアのうちのコンポーネントキャリアの第１部分の帯域幅に従って、コンポーネントキャリアの第１部分によって占有されるリソースブロックユニットをコンポーネントキャリアの第１部分によって占有される物理リソースにマッピングすることによって取得されるマッピング関係であり、第２マッピング関係は、リソース割当タイプに従って、第１拡張キャリアによって占有されるリソースブロックユニットを第１拡張キャリアによって占有される物理リソースにマッピングすることによって取得されるマッピング関係であり、ここで、第１拡張キャリアは、拡張キャリア及びコンポーネントキャリアのうちのコンポーネントキャリアの第１部分以外のコンポーネントキャリアの残りの部分を含む；
リソース割当情報を端末に送信するように送信機を制御する。
【０１２４】
任意で、物理リソースは物理リソースブロックＰＲＢである。リソース割当タイプがリソース割当タイプ０又はリソース割当タイプ１である場合、リソースブロックユニットはリソースブロックグループＲＢＧであり、第１リソースブロックユニットは第１ＲＢＧである。
【０１２５】
リソース割当タイプがリソース割当タイプ２である場合、リソースブロックユニットは仮想リソースブロックＶＲＢであり、第１リソースブロックユニットは第１ＶＲＢである。対応して、リソース割当情報はマッピング方式情報をさらに含む。
【０１２６】
任意で、リソース割当情報は、ダウンリンク制御情報ＤＣＩである。
【０１２７】
任意で、プロセッサは、端末が新システムキャリアをサポートする端末であることを決定するようにさらに構成される。
【０１２８】
リソースブロックユニットと物理リソースとのマッピング関係、第１マッピング関係及び第２マッピング関係の説明については、前述の実施形態における関連部分を参照すると理解され得る。詳細はここでは再度説明されない。物理リソースはＰＲＢとすることができる。
【０１２９】
この実施形態における基地局は、本発明におけるリソース割当方法の実施形態１における技術的解決手段を実行するように構成することができる。実装原理及びその技術的効果は、実施の形態１のものと同様であり、ここでは説明しない。
【０１３０】
図６は、本発明の実施形態による端末の概略構造図である。図６に示すように、この実施形態で提供される端末６０は、新システムキャリアをサポートすることができる。新システムキャリアは、コンポーネントキャリアと拡張キャリアを含む。端末６０は、受信モジュール６０１及び決定モジュール６０２を含むことができる。
【０１３１】
受信モジュール６０１は、基地局によって送信されたリソース割当情報を受信するように構成される。端末は、新システムキャリアをサポートする。新システムキャリアは、コンポーネントキャリア及び拡張キャリアを含む。リソース割当情報は、リソース割当タイプ及び基地局によって端末に割り当てられた第１リソースブロックユニットの指示情報を含む。
【０１３２】
決定モジュール６０２は、リソース割当情報及びリソースブロックユニットと物理リソースとのマッピング関係に従って、基地局によって端末に割り当てられた第１リソースブロックユニットに対応する第１物理リソースを決定するように構成される。リソースブロックユニットと物理リソースとのマッピング関係は、第１マッピング関係及び第２マッピング関係を含む。第１マッピング関係は、リソース割当タイプ及びコンポーネントキャリアのうちのコンポーネントキャリアの第１部分の帯域幅に従って、コンポーネントキャリアの第１部分によって占有されるリソースブロックユニットをコンポーネントキャリアの第１部分によって占有される物理リソースにマッピングすることによって取得されるマッピング関係である。第２マッピング関係は、リソース割当タイプに従って、第１拡張キャリアによって占有されるリソースブロックユニットを第１拡張キャリアによって占有される物理リソースにマッピングすることによって取得されるマッピング関係であり、ここで、第１拡張キャリアは、拡張キャリア及びコンポーネントキャリアのうちのコンポーネントキャリアの第１部分以外のコンポーネントキャリアの残りの部分を含む。
【０１３３】
任意で、物理リソースは物理リソースブロックＰＲＢである；リソース割当タイプがリソース割当タイプ０又はリソース割当タイプ１である場合、リソースブロックユニットはリソースブロックグループＲＢＧであり、第１リソースブロックユニットは第１ＲＢＧであり、対応して、決定モジュールは、具体的には、第１リソースブロックユニットの指示情報及びリソース割当タイプに対応する、リソースブロックユニットと物理リソースとのマッピング関係に従って、第１物理リソースを決定するように構成される；又は
リソース割当タイプがリソース割当タイプ２であり、リソースブロックユニットが仮想リソースブロックＶＲＢであり、第１リソースブロックユニットが第１ＶＲＢである場合；対応して、リソース割当情報は、マッピング方式情報をさらに含み；決定モジュールは、具体的には、第１リソースブロックユニットの指示情報及びリソース割当タイプとマッピング方式情報との両方に対応する、リソースブロックユニットと物理リソースとのマッピング関係に従って、第１物理リソースを決定するように構成される。
【０１３４】
任意で、リソース割当情報は、ダウンリンク制御情報ＤＣＩである。
【０１３５】
任意で、端末は記憶モジュールをさらに含み、記憶モジュールはリソースブロックユニットと物理リソースとのマッピング関係を記憶するように構成される。
【０１３６】
リソースブロックユニットと物理リソースとのマッピング関係、第１マッピング関係及び第２マッピング関係の説明については、前述の実施形態における関連部分を参照すると理解され得る。詳細はここでは再度説明されない。物理リソースはＰＲＢとすることができる。
【０１３７】
この実施形態における端末は、本発明におけるリソース割当方法の実施形態２における技術的解決手段を実行するように構成することができる。実装原理及びその技術的効果は、実施の形態２のものと同様であり、ここでは説明しない。
【０１３８】
図７は、本発明の別の実施形態による端末の概略構造図である。この実施形態で提供される端末は、新システムキャリアをサポートする。新システムキャリアは、コンポーネントキャリアと拡張キャリアを含む。図７に示すように、この実施形態で提供される端末７０は、プロセッサ７０１及びメモリ７０２を含むことができる。端末７０は、送信機７０３と受信機７０４とをさらに含むことができる。送信機７０３及び受信機７０４は、プロセッサ７０１に接続されることができる。送信機７０３は、データ又は情報を送信するように構成される。受信機７０４は、基地局によって送信されたリソース割当情報を受信するように構成される。端末は、新システムキャリアをサポートする。新システムキャリアは、コンポーネントキャリア及び拡張キャリアを含む。リソース割当情報は、リソース割当タイプ及び基地局によって端末に割り当てられた第１リソースブロックユニットの指示情報を含む。メモリ７０２は、リソースブロックユニットと物理リソースとのマッピング関係及び実行命令を記憶する。基地局７０が動作するときは、プロセッサ７０１はメモリ７０２と通信し、プロセッサ７０１はメモリ７０２の実行命令を呼び出して以下の動作を実行する：
リソース割当情報及びリソースブロックユニットと物理リソースとのマッピング関係に従って、基地局によって端末に割り当てられた第１リソースブロックユニットに対応する第１物理リソースを決定する、ここで、リソースブロックユニットと物理リソースとのマッピング関係は、第１マッピング関係及び第２マッピング関係を含み、第１マッピング関係は、リソース割当タイプ及びコンポーネントキャリアのうちのコンポーネントキャリアの第１部分の帯域幅に従って、コンポーネントキャリアの第１部分によって占有されるリソースブロックユニットをコンポーネントキャリアの第１部分によって占有される物理リソースにマッピングすることによって取得されるマッピング関係であり、第２マッピング関係は、リソース割当タイプに従って、第１拡張キャリアによって占有されるリソースブロックユニットを第１拡張キャリアによって占有される物理リソースにマッピングすることによって取得されるマッピング関係であり、ここで、第１拡張キャリアは、拡張キャリア及びコンポーネントキャリアのうちのコンポーネントキャリアの第１部分以外のコンポーネントキャリアの残りの部分を含む。
【０１３９】
任意で、物理リソースは物理リソースブロックＰＲＢである；リソース割当タイプがリソース割当タイプ０又はリソース割当タイプ１である場合、リソースブロックユニットはリソースブロックグループＲＢＧであり、第１リソースブロックユニットは第１ＲＢＧであり、対応して、プロセッサは、具体的には、第１リソースブロックユニットの指示情報及びリソース割当タイプに対応する、リソースブロックユニットとＰＲＢとのマッピング関係に従って、第１ＰＲＢを決定するように構成される；又は
リソース割当タイプがリソース割当タイプ２であり、リソースブロックユニットが仮想リソースブロックＶＲＢであり、第１リソースブロックユニットが第１ＶＲＢである場合；対応して、リソース割当情報は、マッピング方式情報をさらに含み；プロセッサは、具体的には、第１リソースブロックユニットの指示情報及びリソース割当タイプとマッピング方式情報との両方に対応する、リソースブロックユニットとＰＲＢとのマッピング関係に従って、第１ＰＲＢを決定するように構成される。
【０１４０】
任意で、リソース割当情報は、ダウンリンク制御情報ＤＣＩである。
【０１４１】
リソースブロックユニットと物理リソースとのマッピング関係、第１マッピング関係及び第２マッピング関係の説明については、前述の実施形態における関連部分を参照すると理解され得る。詳細はここでは再度説明されない。物理リソースはＰＲＢとすることができる。
【０１４２】
この実施形態における端末は、本発明におけるリソース割当方法の実施形態２における技術的解決手段を実行するように構成することができる。実装原理及びその技術的効果は、実施の形態２のものと同様であり、ここでは説明しない。
【０１４３】
本発明の実施形態では、タイプ０、タイプ１、タイプ２の例を使用してリソース割当方式を説明すると理解され得る。本実施形態における方法及び装置は、様々なタイプのリソース割当方式に適用することができる。
【０１４４】
当業者であれば、方法の実施形態のステップのすべて又は一部を、関連するハードウェアに指示するプログラムによって実装することができると理解され得る。プログラムは、コンピュータ読み取り可能な記憶媒体に記憶することができる。プログラムが実行されるときは、方法の実施形態のステップが実行される。前述の記憶媒体は、ＲＯＭ、ＲＡＭ、磁気ディスク、光ディスク等、プログラムコードを記憶することができる任意の媒体を含む。
【０１４５】
最後に、前述の実施形態は、本発明の技術的解決手段を説明することを意図しているに過ぎず、本発明を限定することを意図していないと留意すべきである。前述の実施形態を参照して本発明を詳細に説明したが、当業者であれば、本発明の実施形態の技術的解決手段の範囲から逸脱することなく、前述の実施形態で説明した技術的解決手段に対する変更、又はそれらの技術的特徴の一部又はすべてに対して均等な置換をさらに行うことができると理解するべきである。
【図１Ａ】
0006595098.tif 000036
【図１Ｂ】
0006595098.tif 000037
【図１Ｃ】
0006595098.tif 000038
【図１Ｄ−１】
0006595098.tif 000039
【図１Ｄ−２】
0006595098.tif 000040
【図１Ｅ−１】
0006595098.tif 000041
【図１Ｅ−２】
0006595098.tif 000042
【図２Ａ】
0006595098.tif 000043
【図２Ｂ−１】
0006595098.tif 000044
【図２Ｂ−２】
0006595098.tif 000045
【図２Ｃ−１】
0006595098.tif 000046
【図２Ｃ−２】
0006595098.tif 000047
【図３】
0006595098.tif 000048
【図４】
0006595098.tif 000049
【図５】
0006595098.tif 000050
【図６】
0006595098.tif 000051
【図７】
0006595098.tif 000052